(57)【要約】  規定のパターンを表示するために、複数の個々に制御可能なＬＥＤモジュール（ＬＥＤ）が提供される。少なくとも１本の基準電圧線、正電圧線、およびデータ線を備える互いに絶縁された３本以上の導電線を有する第１および第２のケーブルが少なくとも提供される。複数のストリップの各々は、規定の長手方向分布に沿ってケーブル間で維持され、そこから基準電圧、正電圧、およびデータを受け取る。ストリップの各々は、それらに沿って規定の横方向分布に配置された個々に制御可能なＬＥＤのサブセットを備える。表示コントローラモジュールは、データ線を介してＬＥＤのための点灯命令を送信するプロセッサを備える。点灯命令は、規定のパターンを提供するために複数のストリップの規定の長手方向分布および複数のストリップの各々に沿った規定の横方向分布を考慮して設定される。
2020513110.tif 000002
【特許請求の範囲】
【請求項１】
規定のパターンを表示するための複数の個々に制御可能な発光ダイオードモジュール（ＬＥＤ）と、
少なくとも１本の基準電圧線、正電圧線、およびデータ線を備える互いに絶縁された３本以上の導電線を提供する、少なくとも第１のケーブルおよび第２のケーブルを備えるケーブルセットと、
規定の長手方向分布に沿って前記第１のケーブルと前記第２のケーブルとの間で維持され、前記基準電圧、前記正電圧、および前記データをそこから受け取る複数のストリップであって、各々がそれらに沿って規定の横方向分布に配置された前記個々に制御可能なＬＥＤのサブセットを備える、複数のストリップと、
前記規定のパターンを提供するために、前記複数のストリップの前記規定の長手方向分布および前記複数のストリップの各々に沿った前記規定の横方向分布を考慮して設定される、前記複数の個々に制御可能なＬＥＤのための点灯命令を、前記データ線を介して送信する少なくとも１つのプロセッサを備える表示コントローラモジュールと
を備える表示システム。
【請求項２】
筐体を更に備え、前記第１のケーブルは、前記筐体に沿って第１ペアの設置位置間に伸長し、前記第２のケーブルは、前記筐体に沿って第２ペアの設置位置間に伸長する、請求項１に記載の表示システム。
【請求項３】
前記複数のストリップの各々は、対応する個々に制御可能なＬＥＤのサブセットに関連する前記点灯命令のサブセットを処理するためのローカルプロセッサを備える、請求項１または請求項２に記載の表示システム。
【請求項４】
前記少なくとも３本の導電線の継続した絶縁を確実にしながら前記第１のケーブルにおける張力および前記第２のケーブルにおける張力を調整するために前記第１のケーブルおよび前記第２のケーブルに結合されたケーブルテンショナシステムを更に備える、請求項１〜３のいずれか１項に記載の表示システム。
【請求項５】
前記ケーブルセットは２本の基準電圧線を備え、前記第１のケーブルは前記２本の基準電圧線の１本目および前記正電圧線を備え、前記第２のケーブルは前記２本の基準電圧線の２本目および前記データ線を備える、請求項１〜４のいずれか１項に記載の表示システム。
【請求項６】
前記複数のストリップの各々は印刷回路基板（ＰＣＢ）であり、前記表示システムは、
前記第１のケーブルからの前記基準電圧および前記正電圧を前記ＰＣＢの１つへ提供するために前記ＰＣＢの１つを着脱可能に取り付ける、前記規定の長手方向分布に従って前記第１のケーブル上で永久的に維持される複数の第１のコネクタと、
前記第２のケーブルからの前記データおよび前記基準電圧を前記ＰＣＢの前記１つへ提供するために前記ＰＣＢの前記１つを着脱可能に取り付ける、前記規定の長手方向分布に従って前記第２のケーブル上で永久的に維持される複数の第２のコネクタと
を更に備える、請求項１〜４のいずれか１項に記載の表示システム。
【請求項７】
前記ＰＣＢと前記ケーブルセットとの間の期待される接続性を確実にするために、前記第１のコネクタのそれぞれは、前記ＰＣＢの対応する第１の構造のための特定の形状であり、前記第２のコネクタのそれぞれは、前記第１の構造とは異なる、前記ＰＣＢの対応する第２の構造のための特定の形状である、請求項６に記載の表示システム。
【請求項８】
前記データ線は、前記点灯命令が前記ＰＣＢを通過し、前記複数のストリップを論理的にデイジーチェーンにするように、前記第２のコネクタのそれぞれにおいて切断される、請求項６または請求項７に記載の表示システム。
【請求項９】
前記ケーブルセットは、第２の基準電圧線、第２の正電圧線、および第２のデータ線を備える互いに絶縁された少なくとも３本の追加の導電線を提供する、前記第１のケーブルおよび前記第２のケーブルと平行な第３のケーブルおよび第４のケーブルを少なくとも備え、
前記表示システムは、前記規定の長手方向分布と一致する第２の規定の長手方向分布に沿って前記第３のケーブルと前記第４のケーブルとの間で維持され、前記第２の基準電圧線からの前記基準電圧、前記第２の正電圧線からの前記正電圧、および前記第２のデータ線からの前記データを受信する第２の複数のストリップであって、各々が、それらに沿って前記規定の横方向分布と一致する第２の規定の横方向分布に配置された前記個々に制御可能なＬＥＤの追加のサブセットを備える第２の複数のストリップを更に備える、請求項１〜８のいずれか１項に記載の表示システム。
【請求項１０】
前記第１の複数のストリップと前記第２の複数のストリップとの間の長手方向の位置合わせを改善するために、
前記第１のケーブルまたは前記第２のケーブルの１方は、前記第３のケーブルと前記第４のケーブルとの間に配置され、
前記第２の複数のストリップの少なくともいくつかは、前記第３のケーブルと前記第４のケーブルとの間に横たわる前記１本のケーブルに機械的に取り付けられ、
前記複数のストリップの少なくともいくつかは、前記第１のケーブルと前記第２のケーブルとの間に配置された前記第３のケーブルおよび前記第４のケーブルの１方に機械的に取り付けられる、請求項９に記載の表示システム。
【請求項１１】
前記複数のストリップの個々の１つからの１または複数の側端部を前記第２の複数のストリップの対応する１つからの対応する対向端部と長手方向に位置合わせするための横方向位置合わせ機構を更に備える、請求項９または請求項１０に記載の表示システム。
【請求項１２】
前記横方向位置合わせ機構は、前記１または複数の側端部および前記対応する対向端部に逆極性の磁石を備える、請求項１１に記載の表示システム。
【請求項１３】
前記有極磁石は、前記１または複数の側端部および前記対応する対向端部にそれぞれ取り付けられたそれぞれの嵌合筐体内に収容される、請求項１２に記載の表示システム。
【請求項１４】
前記規定の長手方向分布は、前記複数のストリップの様々なストリップから長手方向に位置合わせされたＬＥＤ間の１０ｍｍ〜２００ｍｍの長手方向ピッチを確立する、請求項１〜１３のいずれか１項に記載の表示システム。
【請求項１５】
前記長手方向ピッチは、前記規定の長手方向分布にわたり一定である、請求項１４に記載の表示システム。
【請求項１６】
前記規定の横方向分布は、前記ＬＥＤのサブセットにおけるＬＥＤ間の１０ｍｍ〜２００ｍｍの横方向ピッチを確立する、請求項１〜１５のいずれか１項に記載の表示システム。
【請求項１７】
前記横方向ピッチは、前記規定の横方向分布にわたり一定である、請求項１６に記載の表示システム。
【請求項１８】
請求項１３に更に従属する場合、前記長手方向ピッチおよび垂直ピッチは等しい、請求項１６または請求項１７に記載の表示システム。
【請求項１９】
前記複数の個々に制御可能なＬＥＤの各々は、１〜４つの個々の発光ダイオードを備える表面実装デバイス発光ダイオードモジュールである、請求項１〜１８のいずれか１項に記載の表示システム。
【請求項２０】
複数の個々に制御可能な発光ダイオードモジュール（ＬＥＤ）を備える一時的または永久表示システムに規定のパターンを表示するための方法であって、
少なくとも１本の基準電圧線、正電圧線、およびデータ線を備える互いに絶縁された３本以上の導電線を提供する、少なくとも第１のケーブルおよび第２のケーブルを備えるケーブルセットを設置することと、
規定の長手方向分布に沿って前記第１のケーブルと前記第２のケーブルとの間に複数のストリップを着脱可能に取り付けることであって、前記基準電圧、前記正電圧、および前記データはそこから前記複数のストリップによって受け取られ、前記複数のストリップの各々は、それらに沿って規定の横方向分布に配置された前記個々に制御可能なＬＥＤのサブセットを備えることと、
前記データ線を介して前記複数の個々に制御可能なＬＥＤのための点灯命令を送信することであって、前記点灯命令は、前記規定のパターンを提供するために、前記複数のストリップの前記規定の長手方向分布および前記複数のストリップの各々に沿った前記規定の横方向分布を考慮して設定されることと
を備える方法。
【請求項２１】
点灯命令を送信する前に、前記複数の個々に制御可能なＬＥＤの各々に固有識別子を割り当てるために前記データ線を介して前記複数のストリップへ構成命令を送信すること
を更に備える、請求項２０に記載の方法。
【請求項２２】
点灯命令を送信する前に、前記複数の個々に制御可能なＬＥＤの各々を、前記規定の横方向分布および前記規定の長手方向分布を考慮して前記表示システム内の規定の座標にマッピングすること
を更に備える、請求項２０または請求項２１に記載の方法。
【請求項２３】
点灯命令を送信する前に、前記規定の座標を考慮してビデオストリームを前記点灯命令に符号化すること
を更に備える、請求項２２に記載の方法。
【請求項２４】
複数のストリップ上に配置された複数の個々に制御可能な発光ダイオードモジュール（ＬＥＤ）を備える一時的または永久表示システムにおいて用いるためのケーブルを製造する方法であって、
組立機において、制御された緊張状態にある、互いに絶縁された２本以上の導電線を備えるケーブルを提供することと、
前記組立機において、ストリップ受容体部品の第１の表面を通る突刺端部および前記ストリップ受容体の前記第１の表面と対向する第２の表面を通るＰＣＢ対応電気接点を各々が備える互いに隔離された少なくとも２つのスルーコンタクトブラケットを各々が備える第１のストリップ受容体部品および第２のストリップ受容体部品を提供することと、
前記組立機において、前記ケーブルが制御された緊張状態にある間、第１のコネクタの前記第１のストリップ受容体部品を前記ケーブル上の第１の位置に固定可能に配置することであって、前記第１のストリップ受容体の前記スルーコンタクトブラケットは、前記２本以上の導電線の対応する導電線に対する電気接続を提供することと、
前記組立機において、制御された緊張状態にある前記ケーブルを特定の距離だけ前進させた後、第２のコネクタの前記第２のストリップ受容体部品を前記ケーブル上の第２の位置に固定可能に配置することであって、前記第２のストリップ受容体の前記スルーコンタクトブラケットは、前記２本以上の導電線の対応する導電線に対する電気接続を提供し、前記特定の距離は、前記表示システムのための前記ＬＥＤの長手方向分布を定めることと、
前記第１のコネクタの前記第１のストリップ受容体の上に第１のストリップホルダを配置し、前記第２のコネクタの前記第２のストリップ受容体の上に第２のストリップホルダを配置することであって、前記第１のストリップホルダおよび前記第１のストリップ受容体は、前記第１のストリップ受容体の前記ＰＣＢ対応電気接点と前記複数のストリップの第１の１つとの継続した電気接続を確実にするために協働し、前記第２のストリップホルダおよび前記第２のストリップ受容体は、前記第２のストリップ受容体の前記ＰＣＢ対応電気接点と前記複数のストリップの第２の１つとの継続した電気接続を確実にするために協働することと
を備える方法。
【請求項２５】
前記第１のストリップ受容体部品および前記第２のストリップ受容体部品は、前記ストリップの第１の位置決め構造に対応する第１のモデルであり、前記方法は、
前記組立機において、前記制御された緊張状態にある、互いに絶縁された２本以上の導電線を備える第２のケーブルを提供することと、
前記組立機において、各々が前記ストリップの第２の位置決め構造に対応する第２のモデルである、第３のストリップ受容体部品および第４のストリップ受容体部品を提供することと、
前記組立機において、前記第２のケーブルが制御された緊張状態にある間、第３のコネクタの前記第３のストリップ受容体部品を前記第２のケーブル上の第１の位置に固定可能に配置することであって、前記第３のストリップ受容体の前記スルーコンタクトブラケットは、前記２本以上の導電線の対応する導電線に対する電気接続を提供することと、
前記組立機において、制御された緊張状態にある前記第２のケーブルを前記特定の距離だけ前進させた後、第４のコネクタの前記第４のストリップ受容体部品を前記第２のケーブル上の第２の位置に固定可能に配置することと、
前記第３のコネクタの前記第３のストリップ受容体の上に第３のストリップホルダを配置し、前記第４のコネクタの前記第４のストリップ受容体の上に第４のストリップホルダを配置することであって、前記第３のストリップホルダおよび前記第３のストリップ受容体は、前記第３のストリップ受容体の前記ＰＣＢ対応電気接点と前記複数のストリップの前記第１の１つとの継続した電気接続を確実にするために協働し、前記第４のストリップホルダおよび前記第４のストリップ受容体は、前記第４のストリップ受容体の前記ＰＣＢ対応電気接点と前記複数のストリップの前記第２の１つとの継続した電気接続を確実にするために協働することと
を備え、
前記ケーブルの前記２本以上の導電線および前記第２のケーブルの前記２本以上の導電線は、前記表示システムにおいて、基準電圧、正電圧、およびデータフィードを提供する、請求項２４に記載の方法。
【発明の詳細な説明】
【技術分野】
【０００１】
本特許出願は、その全体が本明細書に組み込まれる、Ｄａｖｉｄ  ＳＥＬＬＡＭの名において２０１７年３月２日に出願された、 “ＩＮＤＩＶＩＤＵＡＬＬＹ  ＣＯＮＴＲＯＬＬＡＢＬＥ  ＬＩＧＨＴ  ＥＭＩＴＴＩＮＧ  ＤＩＯＤＥ  ＭＯＤＵＬＥＳ  ＦＯＲ  ＤＩＳＰＬＡＹＩＮＧ  ＤＥＦＩＮＥＤ  ＰＡＴＴＥＲＮＳ”と題された過去の米国仮特許出願に基づいて優先権を主張するものである。
【０００２】
本発明は表示システムに関し、具体的には、発光ダイオード（ＬＥＤ）ストリップを備える表示システムに関する。
【背景技術】
【０００３】
従来の中型および大型表示システムは一般に、１または複数の表示スクリーンを用いて提供され（たとえばスポーツバー）、あるいは特定の場所または使用事例（たとえばニューヨーク市のタイムズスクエア）のための特注品であってもよい。表示システムは、ビデオストリーム（たとえば従来の生放送または録画テレビ番組、オンデマンドビデオストリーミング、双方向通信、連続したスチール写真またはスライドショーなど）を放送するために用いられ得る。また表示システムは、情報放送（たとえば「ジッパー」ニュースティッカー）ならびにムード照明（たとえばリラクゼーションルーム、ダンスフロアなど）のためにも用いられ得る。
【０００４】
現在の表示システムの多用途性および適応性は限られていることが分かっている。本発明は、この欠点に少なくとも部分的に対処するものである。
【発明の概要】
【０００５】
この概要は、発明を実施するための形態において更に後述される選りすぐりの概念を簡略化形式で説明するために提供される。この概要は、特許請求の対象となる主題事項の重要特徴または本質的特徴を識別することは意図されず、特許請求の対象となる主題事項の範囲を決定する助力として用いられることも意図されない。
【課題を解決するための手段】
【０００６】
本発明の第１の態様は、規定のパターンを表示するための複数の個々に制御可能な発光ダイオードモジュール（ＬＥＤ）、ケーブルセット、複数のストリップ、および表示コントローラモジュールを備える表示システムに関する。規定のパターンの例は、静止画像、ビデオまたは他の画像アニメーションシーケンス、変化する点灯パターン（たとえば変化する色および／または変化する光度）などを含む。ケーブルセットは、少なくとも１本の基準電圧線、正電圧線、およびデータ線を備える互いに絶縁された３本以上の導電線を提供する第１のケーブルおよび第２のケーブルを少なくとも備える。複数のストリップの各々は、規定の長手方向分布に沿って第１のケーブルと第２のケーブルとの間で維持され、そこから基準電圧、正電圧、およびデータを受け取る。複数のストリップの各々は、それらに沿って規定の横方向分布に配置された個々に制御可能なＬＥＤのサブセットを備える。表示コントローラモジュールは、データ線を介して複数の個々に制御可能なＬＥＤのための点灯命令を送信する少なくとも１つのプロセッサを備える。点灯命令は、規定のパターンを提供するために、複数のストリップの規定の長手方向分布および複数のストリップの各々に沿った規定の横方向分布を考慮して設定される。
【０００７】
表示システムは任意選択的に筐体を更に備え、第１のケーブルは、筐体に沿った第１のペアの設置位置間に伸長し、第２のケーブルは、筐体に沿った第２ペアの設置位置間に伸長する。
【０００８】
複数のストリップの各々は、個々に制御可能なＬＥＤの対応するサブセットに関連する点灯命令のサブセットを処理するためのローカルプロセッサも備えてよい。
【０００９】
表示システムは、少なくとも３本の導電線の継続した絶縁を確実にしながら第１のケーブルにおける張力および第２のケーブルにおける張力を調整するために第１のケーブルおよび第２のケーブルに結合されたケーブルテンショナシステムも更に備える。
【００１０】
いくつかの実施形態において、ケーブルセットは２本の基準電圧線を備え、第１のケーブルは２本の基準電圧線の１本目および正電圧線を備え、第２のケーブルは２本の基準電圧線の２本目およびデータ線を備える。
【００１１】
任意選択的に、複数のストリップの各々は印刷回路基板（ＰＣＢ）であってよく、その場合、表示システムは、第１のケーブルからの基準電圧および正電圧をＰＣＢの１つへ提供するためにＰＣＢの１つを着脱可能に取り付ける、規定の長手方向分布に従って第１のケーブル上で永久的に維持される複数の第１のコネクタと、第２のケーブルからのデータおよび基準電圧をＰＣＢの１つへ提供するためにＰＣＢの１つを着脱可能に取り付ける、規定の長手方向分布に従って第２のケーブル上で永久的に維持される複数の第２のコネクタとを更に備えてよい。追加の選択肢として、ＰＣＢとケーブルセットとの間の期待される接続性を確実にするために、第１のコネクタのそれぞれは、ＰＣＢの対応する第１の構造のための特定の形状であってよく、第２のコネクタのそれぞれは、第１の構造とは異なる、ＰＣＢの対応する第２の構造のための特定の形状であってよい。
【００１２】
任意選択的に、ケーブルセットは、第２の基準電圧線、第２の正電圧線、および第２のデータ線を備える互いに絶縁された少なくとも３本の追加の導電線を提供する、第１のケーブルおよび第２のケーブルと平行な第３のケーブルおよび第４のケーブルを少なくとも備えてよい。そのような実施形態において、表示システムは、規定の長手方向分布と一致する第２の規定の長手方向分布に沿って第３のケーブルと第４のケーブルとの間で維持され、第２の基準電圧線からの基準電圧、第２の正電圧線からの正電圧、および第２のデータ線からのデータを受信する第２の複数のストリップを更に備えてよい。第２の複数のストリップの各々は、それらに沿って規定の横方向分布と一致する第２の規定の横方向分布に配置された個々に制御可能なＬＥＤの追加のサブセットを備える。いくつかの実施形態において、第１の複数のストリップと第２の複数のストリップとの間の長手方向の位置合わせを改善するために、第１のケーブルまたは第２のケーブルの１方は、第３のケーブルと第４のケーブルとの間に配置され得る。第２の複数のストリップの少なくともいくつかは、第３のケーブルと第４のケーブルとの間に横たわる１本のケーブルに機械的に取り付けられ、複数のストリップの少なくともいくつかは、（たとえば織込み構成において）
第１のケーブルと第２のケーブルとの間に配置された第３のケーブルおよび第４のケーブルの１方に機械的に取り付けられる。表示システムは代替または追加として、複数のストリップの個々の１つからの１または複数の側端部を第２の複数のストリップの対応する１つからの対応する対向端部と長手方向に位置合わせするための横方向位置合わせ機構を更に備えてよい。たとえば横方向位置合わせ機構は、１または複数の側端部および対応する対向端部に逆極性の磁石を備えてよい。有極磁石は、１または複数の側端部および対応する対向端部にそれぞれ取り付けられたそれぞれの嵌合筐体内に収容され得る。
【００１３】
いくつかの実施形態において、規定の長手方向分布は、複数のストリップの様々なストリップから長手方向に位置合わせされたＬＥＤ間の１０ｍｍ〜２００ｍｍの長手方向ピッチを確立する。長手方向ピッチは通常、規定の長手方向分布にわたり一定であるが、変化してもよい。いくつかの実施形態において、規定の横方向分布は、ＬＥＤのサブセットにおけるＬＥＤ間の１０ｍｍ〜２００ｍｍの横方向ピッチを確立する。横方向ピッチは通常、規定の横方向分布にわたり一定であるが、変化してもい。長手方向ピッチおよび横方向ピッチは等しく、または異なってよい。
【００１４】
いくつかの実施形態において、複数の個々に制御可能なＬＥＤの各々は、１〜４つの個々の発光ダイオードを備える表面実装デバイス発光ダイオードモジュールである。
【００１５】
本発明の第２の態様は、複数の個々に制御可能な発光ダイオードモジュール（ＬＥＤ）を備える一時的または永久表示システムに規定のパターンを表示するための方法に関する。規定のパターンの例は、静止画像、ビデオまたは他の画像アニメーションシーケンス、変化する点灯パターン（たとえば変化する色および／または変化する光度）などを含む。方法は、少なくとも１本の基準電圧線、正電圧線、およびデータ線を備える互いに絶縁された３本以上の導電線を提供する第１のケーブルおよび第２のケーブルを少なくとも備えるケーブルセットを設置することを備える。方法は、規定の長手方向に沿って第１のケーブルと第２のケーブルとの間に複数のストリップを着脱可能に取り付けることも備え、基準電圧。正電圧、およびデータは、そこから複数のストリップによって受け取られ、複数のストリップの各々は、それらに沿って規定の横方向分布に配置された個々に制御可能なＬＥＤのサブセットを備える。方法は、データ線を介して複数の個々に制御可能なＬＥＤのための点灯命令を送信することも備え、点灯命令は、規定のパターンを提供するために、複数のストリップの規定の長手方向分布および複数のストリップの各々に沿った規定の横方向分布を考慮して設定される。
【００１６】
任意選択的に、方法は、点灯命令を送信する前に、複数の個々に制御可能なＬＥＤの各々に固有識別子を割り当てるためにデータ線を介して複数のストリップへ構成命令を送信することを更に備えてよい。
【００１７】
任意選択的に、方法は代替または追加として、点灯命令を送信する前に、複数の個々に制御可能なＬＥＤの各々を、規定の横方向分布および規定の長手方向分布を考慮して表示システム内の規定の座標にマッピングすることも更に備えてよい。そのような実施形態において、方法は、点灯命令を送信する前に、規定の座標を考慮してビデオストリームを点灯命令に符号化することも更に備えてよい。
【００１８】
本発明の第３の態様は、一時的または永久表示システムにおいて用いるためのケーブルを製造する方法に関する。表示システムは、複数のストリップ上に配置された複数の個々に制御可能な発光ダイオードモジュール（ＬＥＤ）を備える。方法は、組立機において、制御された緊張状態にある、互いに絶縁された２本以上の導電線を備えるケーブルを提供することを備える。方法は、続いて、組立機において、ストリップ受容体部品の第１の表面を通る突刺端部およびストリップ受容体の第１の表面と対向する第２の表面を通るＰＣＢ対応電気接点を各々が備える互いに隔離された少なくとも２つのスルーコンタクトブラケットを各々が備える第１のストリップ受容体部品および第２のストリップ受容体部品を提供する。組立機においてケーブルが制御された緊張状態にある間、方法は、第１のコネクタの第１のストリップ受容体部品をケーブル上の第１の位置に固定可能に配置することによって継続し、第１のストリップ受容体のスルーコンタクトブラケットは、２本以上の導電線の対応する導電線に対する電気接続を提供する。また組立機において、制御された緊張状態にあるケーブルを特定の距離だけ前進させた後、方法は、第２のコネクタの第２のストリップ受容体部品をケーブル上の第２の位置に固定可能に配置することを備え、第２のストリップ受容体のスルーコンタクトブラケットは、２本以上の導電線の対応する導電線に対する電気接続を提供し、特定の距離は、表示システムのためのＬＥＤの長手方向分布を定める。方法は、第１のコネクタの第１のストリップ受容体の上に第１のストリップホルダを配置し、第２のコネクタの第２のストリップ受容体の上に第２のストリップホルダを配置することも備え、第１のストリップホルダおよび第１のストリップ受容体は、第１のストリップ受容体のＰＣＢ対応電気接点と複数のストリップの第１の１つとの継続した電気接続を確実にするために協働し、第２のストリップホルダおよび第２のストリップ受容体は、第２のストリップ受容体のＰＣＢ対応電気接点と複数のストリップの第２の１つとの継続した電気接続を確実にするために協働する。
【００１９】
いくつかの実施形態において、第１のストリップ受容体部品および第２のストリップ受容体部品は、ストリップの第１の位置決め構造に対応する第１のモデルであり、方法は、組立機において、制御された緊張状態にある、互いに絶縁された２本以上の導電線を備える第２のケーブルを提供することを更に備える。方法は次に、組立機において、各々がストリップの第２の位置決め構造に対応する第２のモデルである、第３のストリップ受容体部品および第４のストリップ受容体部品を提供することを備える。また組立機において、方法は、第２のケーブルが制御された緊張状態にある間、第３のコネクタの第３のストリップ受容体部品を第２のケーブル上の第１の位置に固定可能に配置することによって継続し、第３のストリップ受容体のスルーコンタクトブラケットは、２本以上の導電線の対応する導電線に対する電気接続を提供する。組立機において、制御された緊張状態にある第２のケーブルを特定の距離だけ前進させた後、方法は、第３のコネクタの第３のストリップ受容体の上に第３のストリップホルダを配置し第４のコネクタの第４のストリップ受容体の上に第４のストリップホルダを配置する前に、第４のコネクタの第４のストリップ受容体部品を第２のケーブル上の第２の位置に固定可能に配置することを備え、第３のストリップホルダおよび第３のストリップ受容体は、第３のストリップ受容体のＰＣＢ対応電気接点と数のストリップの第１の１つとの継続した電気接続を確実にするために協働し、第４のストリップホルダおよび第４のストリップ受容体は、第４のストリップ受容体のＰＣＢ対応電気接点と複数のストリップの第２の１つとの継続した電気接続を確実にするために協働する。ケーブルの２本以上の導電線および第２のケーブルの２本以上の導電線は、表示システムにおいて、基準電圧、正電圧、およびデータフィードを提供する。
【００２０】
本発明の更なる特徴および典型的な利点は、添付図面と関連して示される以下の詳細な説明から明らかになる。
【図面の簡単な説明】
【００２１】
【図１】本発明の教示に係る典型的な表示システムの論理モジュール図である。
【図２】本発明の教示に係る典型的な表示システムの斜視図である。
【図３Ａ．Ｂ】本明細書において図３として同時に参照され、それぞれ本発明の教示に係る典型的なストリップの正面図および背面図である。
【図４Ａ．Ｂ．Ｃ．Ｄ】本明細書において図４として同時に参照され、本発明の教示に係る第１の典型的な端子整列磁石筐体の図である。
【図５Ａ．Ｂ．Ｃ．Ｄ】本明細書において図５として同時に参照され、本発明の教示に係る第２の典型的な端子整列磁石筐体の図である。
【図６】本発明の教示に係る典型的な第１のコネクタアセンブリの分解斜視図である。
【図７】本発明の教示に係る典型的な第２のコネクタアセンブリの分解斜視図である。
【図８Ａ．Ｂ．Ｃ．Ｄ．Ｅ】本明細書において図８として同時に参照され、本発明の教示に係る典型的な第２のストリップ受容体の図である。
【図９Ａ．Ｂ．Ｃ．Ｄ．Ｅ】本明細書において図９として同時に参照され、本発明の教示に係る典型的な第１のストリップ受容体の図である。
【図１０Ａ．Ｂ．Ｃ】本明細書において図１０として同時に参照され、本発明の教示に係る典型的なケーブル側ホルダの図である。
【図１１Ａ．Ｂ．Ｃ．Ｄ】本明細書において図１１として同時に参照され、本発明の教示に係る典型的なストリップ側ホルダの図である。
【図１２Ａ．Ｂ．Ｃ】本明細書において図１２として同時に参照され、本発明の教示に係る典型的な突刺ＰＣＢ接点の図である。
【図１３Ａ．Ｂ．Ｃ】本明細書において図１３として同時に参照され、本発明の教示に係る典型的なＰＣＢ側シールの図である。
【図１４】本発明の教示に係る典型的なケーブルの切断図である。
【図１５】本発明の教示に係る典型的なケーブルテンショナアセンブリの分解斜視図である。
【図１６Ａ．Ｂ．Ｃ．Ｄ．Ｅ．Ｆ．Ｇ．Ｈ．Ｉ】本明細書において図１６として同時に参照され、本発明の教示に係る典型的なケーブルテンショナ本体の図である。
【図１７Ａ．Ｂ．Ｃ．Ｄ．Ｅ】本明細書において図１７として同時に参照され、本発明の教示に係る典型的な左右反転ケーブルテンショナ本体の図である。
【図１８Ａ．Ｂ．Ｃ．Ｄ】本明細書において図１８として同時に参照され、本発明の教示に係る典型的な本体絶縁体の図である。
【図１９Ａ．Ｂ．Ｃ．Ｄ】本明細書において図１９として同時に参照され、本発明の教示に係る典型的な左右反転本体絶縁体の図である。
【図２０Ａ．Ｂ】本明細書において図２０として同時に参照され、本発明の教示に係る典型的なフレームコネクタアセンブリの斜視図である。
【図２１Ａ．Ｂ．Ｃ．Ｄ】本明細書において図２１として同時に参照され、本発明の教示に係る典型的なフレーム絶縁体の図である。
【図２２Ａ．Ｂ．Ｃ．Ｄ．Ｅ】本明細書において図２２として同時に参照され、本発明の教示に係る典型的なフレームコネクタの図である。
【図２３Ａ．Ｂ．Ｃ】本明細書において図２３として同時に参照され、本発明の教示に係る典型的なスラグコネクタの図である。
【図２４】本発明の教示に係る典型的な垂直設置の論理的表現である。
【図２５】本発明の教示に係る典型的な表示システムの他の斜視図である。
【図２６】本発明の教示に係る典型的な表示システムの詳細図である。
【図２７Ａ．Ｂ】本明細書において図２７として同時に参照され、本発明の教示に係る典型的なフレームコネクタアセンブリを有する典型的なケーブルテンショナアセンブリの図である。
【図２８】本発明の教示に係る典型的な垂直織込み設置の論理的表現である。
【図２９】一時的または永久表示システムに規定のパターンを表示するための方法である。
【図３０】一時的または永久表示システムにおいて用いるためのケーブルを製造するための方法である。
【発明を実施するための形態】
【００２２】
規定の点灯パターンを表示するための表示システムが提供される。規定のパターンの例は、静止画像、ビデオまたは他の画像アニメーションシーケンス、変化する点灯パターン（たとえば変化する色および／または変化する光度）などを含む。当業者は、広範囲の応用に本開示の教示をどのように適合させるかを容易に理解するが、表示システムは、幅の制限がなく最大４０〜５０メートルの高さ寸法を有する大規模な規定のパターンの表示に対応するように開発されている。当然、本開示の教示は、より大きなまたは小さな寸法の表示システムにおいても用いられ得る。
【００２３】
以下の説明から明らかであるように、第１のケーブルおよび第２のケーブルを備える表示システムが提供される。第１および第２のケーブルは、２つの規則的または不規則な表面間に伸長してよい。いくつかの実施形態において、表面は、表示システムのフレームの一部である（たとえば第１および第２のケーブルはフレーム内で対向部材間に伸長する）が、表面は、壁、天井、および／または床の任意の組み合わせ（様々な表面を提供する壁の様々な部分または壁と床との間または天井と床との間など）によって提供されてもよい。同様に、第１および第２のケーブルは、必ずしも同一表面から伸長する必要はない。本発明の実施形態において、複数のＬＥＤストリップは、長手方向分布に沿って（すなわち第１および第２のケーブルによって画定された表示システムにおける長手方向軸に沿って）第１および第２のケーブルの間で維持される。したがって長手方向分布は、表示システムにおける「垂直」ピッチを画定し得る。各ＬＥＤストリップは、横方向分布に沿って（すなわち予め表示システムに画定された長手方向軸と比べて横方向軸を画定する、ＬＥＤストリップの長手方向軸に沿って）その上に（たとえばはんだ付けまたは他の適切な手段によって）固定された複数のＬＥＤモジュールを備える。したがって横方向分布は、表示システムにおける「水平」ピッチを画定し得る。当然、長手方向対横方向および／または垂直対水平の記載は、文字通りの意味ではなく互いに相対的なものとして理解すべきである。
【００２４】
第１および第２のケーブルは、少なくとも正電圧線、基準電圧線、およびデータ線を提供し、これら各々は互いに絶縁される。絶縁は、外部要素に対してももたらされ得る（たとえば耐水性および／または防水性）。これらのワイヤは、複数のＬＥＤストリップの各々に（たとえば第１および第２のケーブルをＬＥＤストリップの対向端部に結合するケーブルコネクタアセンブリを用いて）接続される。正電圧線および基準電圧線は、ＬＥＤストリップの各々へ電力を提供する。データ線は、（たとえば、ＬＥＤモジュールから対向する面においてそこに位置するローカルプロセッサにおいて受信される）ＬＥＤストリップへの命令を伝達し、各々ＬＥＤストリップにおけるＬＥＤモジュールの個々の制御を可能にする。点灯命令は、リモートプロセッサまたは表示コントローラから受信され得る。点灯命令を受信する前に、長手方向分布および垂直分布を考慮して複数のＬＥＤストリップそれぞれにおける複数のＬＥＤモジュールの各々を固有に識別しマッピングするために、リモートプロセッサまたは表示コントローラから複数のＬＥＤストリップへの構成命令が受信され得る。
【００２５】
特定の実施形態において、表示システムは、各々が（一般に平行な）２本のケーブルによって形成され、より広い表示領域のために互いに隣り合って（一般に平行に）配置された多数の「サブパネル」を備える。サブパネルの各々は、専用コントローラ（たとえば互いに同期された）によって提供されてよく、あるいは単一コントローラが多数のサブパネルに用いられ得る。様々な平行なサブパネルからのＬＥＤストリップを長手方向に位置合わせするために、１または複数の位置合わせ機構（たとえば磁石筐体および機械的結合）が用いられ得る。表示システムがフレーム内に提供される場合、ケーブルは更に、たとえばケーブルテンショナアセンブリを用いて調整可能に緊張されてよく、フレームは、（たとえばテンショナおよびコネクタアセンブリを用いて）表示システムへ基準電圧を伝達するために用いられる導電材料内に提供され得る。
【００２６】
表示システムに規定のパターンを表示するための方法、ならびに表示システムにおいて用いるためのケーブルを製造するための方法もまた提供される。上述したように、規定のパターンの例は、静止画像、ビデオまたは他の画像アニメーションシーケンス、変化する点灯パターン（たとえば変化する色および／または変化する光度）などを含む。
【００２７】
本発明が用いられ得る状況のより具体的な例は、被覆表面を一時的または永久表示装置または表示スクリーンに変換するために１または複数のサブパネルによって建物の正面および／または建物内の壁を少なくとも部分的に被覆することを含む。表示スクリーンは、窓または開口部（廊下、扉など）を覆っても覆わなくてもよい。サブパネルの１または複数は、下にある構造（たとえば、可動式表示スクリーンまたは表示スクリーンの可動部分に専用の扉または可動パネル）とともに可動であってよい。当然、表示スクリーンは全体的または部分的に、２つの建物の間（たとえば水平などの部分）に、および／またはスタンドアロンシステムとして提供され得る。
【００２８】
表示スクリーンは、広告システムとして、テレビスクリーン（など）として、（たとえばダンスクラブまたはスパリゾートにおいて）周囲光システムとして、および／またはそれらの組み合わせ（たとえば、夜間には周囲光システムかつ日中には広告システム）として用いられ得る。当然、本開示は、本明細書に記載された数例に限定されるものではなく、当業者は、本教示を様々な使用事例に適合させることが容易に可能である。
【００２９】
表示スクリーンは、必ずしも（たとえば、表示スクリーンが特定の視点からは連続したものとして知覚され得る場合でも）連続しない、および／または必ずしも平坦ではない（たとえば、壁または建物の輪郭を辿る、あるいは湾曲形状を画定する）複数のサブパネルによって形成されてもよい。表示スクリーンは、リモートシステムから受信した画像のストリームを放送するために用いられ得る。画像のストリームを提供するリモートシステムは、本発明の範囲の一部ではないが、提供された画像が表示システムの特定の特徴のための適切な点灯命令に適合されることを可能にする変換器は、いくつかの実施形態において提供され得る。画像のストリームは、一連の静止画像または実際のビデオストリームを備えてよい。本開示によると、所与の選択された距離における視聴者の知覚が高解像度表示スクリーンと同じであるように画像のストリームを放送するために表示システムの様々な部品の性能を選択することが可能である（すなわち、ＬＥＤモジュールによって提供される、「画素」に関する長手方向および横方向分布を正確に定めることによって「水平ピッチ」および「垂直ピッチ」が設定されてよく、ＬＥＤモジュールは、適切な点灯命令を提供されると、所望の「リフレッシュ速度」を提供するように選択され得る）。
【００３０】
以下、図１〜３０を参照して、単なる例として実施形態が説明される。
【００３１】
図１は、本発明の教示に係る典型的な表示システム１０００の論理モジュール図である。表示システム１０００は、複数のＬＥＤストリップ１３００．１・・・ｎ（集合的に１３００）に動作可能に結合された表示コントローラ１１００を備える。たとえば表示コントローラ１１００は、表示システム１０００のネットワーク１２００を介して複数のＬＥＤストリップ１３００に接続してよい。表示コントローラ１１００は、そのような実施形態において、ネットワーク１２００とインタフェース接続し、複数のＬＥＤストリップ１３００へ情報を送信し、および／またはそれらと情報を交換するために用いられる１または複数の物理ポート１１１２を有するネットワークインタフェースモジュール１１１０を備える。複数のＬＥＤストリップ１３００．１・・・ｎの各々は、それらに沿って配置された個々に制御可能な（図１には示されないが、図３を参照して更に詳しく後述される）ＬＥＤモジュールのサブセットを備え、ＬＥＤストリップ１３００において受信された情報は、ＬＥＤストリップ１３００．１・・・ｎの各々における個々に制御可能なＬＥＤモジュールのサブセットの１または複数に発光を指示することができる。本発明の文脈において様々なネットワークリンクが暗示的または明示的に用いられ得る。リンクは有線リンクとして図示され得るが、無線リンクとして具体化されてもよい。有線または無線アクセスポイント（不図示）が任意のリンク上に存在し得る。同様に、任意の数のルータ（不図示）が存在し、リンクの一部であってよい。
【００３２】
表示コントローラは更に、メモリモジュール１１２０、プロセッサモジュール１１３０、および符号化モジュール１１４０を備える。メモリモジュール１１２０は、本明細書で説明されるような様々な機能を実行するように表示コントローラ１１００を構成するプロセッサモジュール１１３０によって実行される命令を含んでよい。メモリモジュール１１２０は、各ＬＥＤストリップ１３００．１・・・ｎおよび／またはそれらに沿って配置された各ＬＥＤモジュールの固有の識別子またはアドレスも備えてよい。以下で説明される実施形態を参照して明らかになるように、各ＬＥＤストリップ１３００．１・・・ｎおよび／または各ＬＥＤモジュールに固有の識別子またはアドレスを割り当てることによって、表示システム１０００内の複数のストリップ１３００およびＬＥＤモジュールの規定の分布を考慮することによって所望のパターンを提供するために、ＬＥＤストリップ１３００へ情報または点灯命令が送信されることが可能であり得る。符号化モジュール１１４０もまた、どの情報／命令が符号化されるか、情報を符号化するための規則または命令、および／またはＬＥＤストリップ１３００およびそれに沿った個々のＬＥＤモジュールの固有識別子を含むがこれに限定されない命令を取得するためにメモリモジュール１１２０にアクセスしてよい。
【００３３】
プロセッサモジュール１１３０は、１または複数のプロセッサコアを有する単一のプロセッサ、または各々が１または複数のプロセッサコアを備えるプロセッサのアレイを表してよい。メモリモジュール１１２０は、様々な種類のメモリ（様々な規格または種類のランダムアクセスメモリ（ＲＡＭ）モジュール、メモリカード、読取専用メモリ（ＲＯＭ）モジュール、プログラマブルＲＯＭなど）を備えてよい。１または複数のストレージデバイスモジュール（不図示）は、１または複数の論理または物理ならびにローカルまたはリモートハードディスクドライブ（ＨＤＤ）（またはそれらのアレイ）を表してよい。ストレージデバイスモジュールは更に、標準化またはプロプライエタリインタフェースによって表示コントローラ１１００へのアクセスを可能にされたローカルまたはリモートデータベースを表してよい。ネットワークインタフェースモジュール１１１０は、ＬＥＤストリップ１３００と通信するために用いられ得る少なくとも１つの物理インタフェースを表す。ネットワークインタフェースモジュール１１１０は、１または複数の論理インタフェースによって表示コントローラ１１００の他のモジュールに可視にされ得る。ネットワークインタフェースモジュール１１１０の物理ネットワークインタフェース（複数も可）および／または論理ネットワークインタフェース（複数も可）によって用いられる実際のプロトコルスタックは、本発明の教示に影響を及ぼすものではない。本発明の文脈において使用可能なプロセッサモジュール１１３０、メモリモジュール１１２０、およびネットワークインタフェースモジュール１１１０の変形が当業者には容易に明らかである。同様に、ここでの例の説明を通してメモリモジュール１１２０および／またはプロセッサモジュール１１３０への明確な言及がなされない場合でも、当業者は、そのようなモジュールが、本発明に関連するルーチンおよび革新的なステップを実行するために表示コントローラ１１００の他のモジュールと関連して用いられることを容易に認識する。
【００３４】
図２は、本発明の教示に係る典型的な表示システム１０００の斜視図である。表示システム１０００は、少なくとも１本の第１のケーブル１０２０、少なくとも１本の第２のケーブル１０３０、および規定のパターンを表示するためのＬＥＤモジュールを備える複数のＬＥＤストリップ１３００を含んでよい。例において、第１のケーブル１０２０および第２のケーブル１０３０は、フレーム１０１０の全体高さに沿ってフレーム１０１０の対向内側表面の間に伸長し、フレーム１０１０の対向内側表面に接続される。他の例において、第１のケーブル１０２０および第２のケーブル１０３０は、フレーム１０１０の高さの一部に沿ってフレーム１０１０の対向内側表面の間に伸長してよく、この場合、フレーム１０１０は、第１および第２のケーブルの端部が接続される中間内側表面を有する１または複数の中間部（たとえば１０１０’）を含んでよい。複数のＬＥＤストリップ１３００は、本明細書で更に説明され、図３および図６〜１３を参照してより具体的に説明されるように、ＬＥＤストリップ１３００の端部またはその付近において第１のケーブル１０２０および第２のケーブル１０３０に長手方向の分布で電気的に接続され得る。ＬＥＤストリップ１３００の規定の長手方向分布は、複数のストリップの様々なストリップからの長手方向に整列したＬＥＤモジュール間で１０ｍｍ〜２００ｍｍの長手方向ピッチを確立してよい。長手方向ピッチは通常、規定の長手方向分布にわたり一定であるが、変化してもよい。本明細書でも更に説明され、図１５〜２３を参照してより具体的に説明されるように、第１のケーブル１０２０および第２のケーブル１０３０に接続された複数のＬＥＤストリップ１３００は、ケーブル緊張システムおよびフレームコネクタアセンブリを用いてフレームに取り付けられ得る。
【００３５】
第１のケーブル１０２０および第２のケーブル１０３０を備えるケーブルセットは、少なくとも１本の基準電圧線、正電圧線、およびデータ線を備える互いに絶縁された３本以上の導電線を提供してよい。
【００３６】
図１４は、本発明の教示に係る典型的なケーブルの切断図である。図１４に示す典型的なケーブルは、第１のケーブル１０２０または第２のケーブル１０３０のいずれかを表してよい。各ケーブルは、互いに絶縁された２本のワイヤ１４００２ａおよび１４００２ｂを備えるが、ケーブルは１本のワイヤ、３本のワイヤなどを備えてもよい。例として、第１のケーブル１０２０は、正電圧線および基準電圧線を備えてよく、第２のケーブル１０３０は、基準電圧線およびデータ線を備えてよいが、本明細書においてより容易に明らかになるように、第１および第２のケーブルそれぞれに含まれるワイヤの任意の組み合わせが本開示の範囲から逸脱することなく用いられ得る。ケーブル絶縁は、当該技術において一般的に用いられるような任意の種類の絶縁であってよい。ただし、緊張に対する適切な反応とともに適切な可撓性をもたらすために、特定の材料がより適し得る。たとえば、いくつかの典型的な実施形態において、選択されたケーブル絶縁は、最大２５０ポンドの継続的な引張荷重を受けた場合、および／または周囲温度が−１４℃〜＋５０℃である時に操作された（たとえば折り曲げられ、または歪められた）場合、永久的に変形または破砕しないようなものであり得る。当然、意図された使用に基づいて様々な引張荷重および／または温度範囲が選択され得る。特定の実施形態において、ケーブル絶縁はまた、外部要素に対する所望の耐性（たとえば耐候性および／または防風雨性）を考慮して選択される。
【００３７】
各ケーブルは更に、緊張ワイヤ１４００４を備えてよい。いくつかの実施形態において、本明細書で更に説明され、図１５のケーブル緊張アセンブリを参照してより具体的に説明されるように、緊張ワイヤ１４００４は、電力またはデータを提供しないが、ケーブルに張力をかけることを可能にする。緊張ワイヤ１４００４は、たとえばスチールまたはナイロンなどの高張力材料で製造されてよく、ワイヤ１４００２ａおよび１４００２ｂは銅で製造され得る。いくつかの実施形態において、緊張ワイヤ１４００４は、基準電圧を伝達するために、単独で、またはワイヤ１４００２ａおよび／または１４００２ｂに加えて用いられる。いくつかの実施形態において、そのため緊張ワイヤ１４００４は、高張力材料に包囲された銅コアまたは高張力材料に包囲された高張力コアを備えてよい。特定の実施形態において、３本の心線１４００２ａ、１４００２ｂ、および１４００４はジャケットを有し、各銅線は追加のナイロンジャケットを有し、それらの全てがＵＬ規格に準拠し得る。
【００３８】
ここで、図２、図３、および図２４〜２６が同時に参照される。本明細書において図３として同時に参照される図３Ａおよび図３Ｂはそれぞれ、本発明の教示に係る典型的なストリップ１３００．ｎの正面図および背面図である。図２４は、図２の表示システム１０００の論理的表現を示し、本発明の教示に係る典型的な垂直設置を提供する。図２５は、本発明の教示に係る典型的な表示システムの他の斜視図である。図２６は、本発明の教示に係る典型的な表示システムの詳細図である。
【００３９】
表示システム１０００は、一時的または永久的な表示設置を提供してよい。図２および図２４の例に示すように、表示システム１０００は、図２および図１４を参照して上述したように、少なくとも１本の基準電圧線、正電圧線、およびデータ線を備える互いに絶縁された３本以上の導電線を提供する、少なくとも第１のケーブル１０２０および第２のケーブル１０３０を備える第１のケーブルセット２４００２を設置することによって構成される。基準電圧、正電圧、およびデータは、複数のストリップ１３００によってケーブルセット２４００２から受け取られる。任意選択的に、複数のストリップ１３００の各々は、印刷回路基板（ＰＣＢ）であってよい。図３に示すように、複数のストリップ１３００．ｎの各々は、それらに沿って規定の横方向分布に配置された個々に制御可能なＬＥＤモジュール１３０２．１・・・ｎ（集合的に１３０２）のサブセットを備える。いくつかの実施形態において、各ＬＥＤストリップ１３００．ｎに最小で２つのＬＥＤモジュール１３０２．１、１３０２．２、最大で８つのＬＥＤモジュール１３０２．１・・・１３０２．８が存在してよい。たとえばＬＥＤモジュール１３０２は、規定の距離１３０４の間隔を有する。規定の横方向分布は、ＬＥＤモジュール１３０２のサブセットにおけるＬＥＤモジュール間に１０ｍｍ〜２００ｍｍの横方向ピッチを確立してよい。横方向ピッチは通常、規定の横方向分布にわたり一定であるが、変化してもよい。複数のＬＥＤストリップ１３００の縦方向ピッチおよび複数のＬＥＤモジュール１３０２の横方向ピッチは、等しくても異なってもよい。
【００４０】
ＬＥＤストリップ１３００は、正電圧線および基準電圧線を通して電力を送達する電源によって給電され得る。一般に、電源は、表示コントローラ１１００とともに単一の物理筐体に統合され、表示コントローラ１１００にも給電するが、当業者は、他の構成が可能であることを容易に認知する。複数の個々に制御可能なＬＥＤモジュールのための点灯命令は、データ線を介して送信され、点灯命令は、規定のパターンを提供するために、複数のストリップ１３００の規定の長手方向分布および複数のストリップの各々に沿ったＬＥＤモジュール１３０２の規定の横方向分布を考慮して設定される。各ＬＥＤストリップ１３００．ｎは、表示コントローラ１１００から受信した点灯命令のサブセットを処理するためのローカルプロセッサ１３０６を備えてよい。いくつかの実施形態において、ＬＥＤモジュール１３０２．ｎの各々は、（全ての表示システム間で単一の表示システムに固有、または少なくとも単一の表示システムの複数のコントローラの１つに固有の）固有識別子または固有アドレスを有してよい。したがって、各ＬＥＤストリップ１３００．ｎに沿って配置された個々に制御可能なＬＥＤモジュール１３０２．ｎは、データフィード内に含まれた点灯命令に基づいて個々に制御され得る。
【００４１】
上述したように、データフィード内の点灯命令は、規定のパターンを提供するために、複数のＬＥＤストリップ１３００の規定の長手方向分布および複数のストリップ１３００の各々に沿ったＬＥＤモジュール１３０２の規定の横方向分布を考慮して表示コントローラ１１００によって生成され得る。点灯命令を送信する前に、複数の個々に制御可能なＬＥＤモジュール１３０２．ｎの各々に固有識別子を割り当てるために、データ線を介して複数のストリップ１３００へ構成命令が送信され得る。任意選択的に、点灯命令を送信する前に、複数の個々に制御可能なＬＥＤモジュール１３０２．ｎは、規定の横方向分布および規定の長手方向分布を考慮して表示システム１０００内の規定の座標にマップされ得る。そのような実施形態において、点灯命令を送信する前に、規定の座標を考慮してビデオストリームが点灯命令に符号化され得る。実施形態において、図２４に見られるように、データ線は、点灯命令がＬＥＤストリップ１３００．ｎを通過し得ることによって複数のＬＥＤストリップ１３００が論理的にデイジーチェーンとなるように、ＬＥＤストリップ１３００の各々におけるコネクタアセンブリによって切断され得る。複数の表示コントローラが提供される場合、それらは、専用リンクを用いて互いに接続され得る。代替または追加として、複数の表示コントローラは、１または複数の表示コントローラ（不図示）を通って一連に接続された複数のデータ線から成る単一の「論理」データ線に沿ったデイジーチェーンであってよい。
【００４２】
ＬＥＤモジュール１３０２．ｎの各々は、少なくとも１つの単一の個別ＬＥＤモジュールを備える。いくつかの実施形態において、複数の個々に制御可能なＬＥＤモジュールの各々は、１〜４の個々のＬＥＤを備える表面実装デバイス発光ダイオードモジュールであってよい。たとえばＬＥＤモジュールは、単一のＲＧＢ  ＬＥＤ、単一のＲＧＢ  ＬＥＤおよび１または複数の白色（Ｗ）ＬＥＤ、個別のＲ、Ｇ、Ｂ  ＬＥＤ、または個別のＲ、Ｇ、Ｂ  ＬＥＤおよび１または複数のＷ  ＬＥＤを備えてよい。いくつかの実施形態において、これは、ＲＧＢ性能（たとえば写真撮影、暗視など、Ｒ、Ｇ、および／またはＢの１または複数に沿って生成されたいくつかの波長が不所望である特定の用途）のサブセットを提供するために十分であり得る。したがってＬＥＤモジュールは、Ｒ、Ｇ、Ｂ（単一または異なるＬＥＤ）および／またはＷ（たとえば単一の暖色白色、寒色白色など）の任意の組み合わせを備えてよく、これらの強度は、様々な制御された色、様々な制御された色温度、および／または様々な制御された光度を生成するために制御可能に設定され得る。ただし、ＬＥＤモジュール１３０２の各々は、３つ（たとえばＲＧＢ）または４つ（ＲＧＢおよび白色）の個々のＬＥＤを備えることが予想される。当業者は、色付き（たとえば温度制御された白色および／または全色）出力を提供する個々のＬＥＤの任意の組み合わせが、本明細書で論述される典型的な実施形態の文脈に適当であることを理解する。本開示の教示に従って提供される典型的な表示システムのＬＥＤモジュール１３０２は、一般に、受信した点灯命令に基づいて所与の強度で色付き出力を生成することが予想される。点灯命令は、ＬＥＤモジュール１３０２．ｎの個々の制御を可能にする。すなわち、ＬＥＤモジュール１３０２．１およびＬＥＤモジュール１３０２．２は個々に制御可能であり、受信した点灯命令に従って２つのモジュール１３０２．１および１３０２．２が異なる照明を表示することを可能にする。代替または追加として、当業者が容易に理解するように、ＬＥＤモジュール１３０２、ｎは、所与の光「温度」で特定の「白色」光を生成することが可能であってよい。
【００４３】
表示システム１０００は、図２４に示すような１つより多い複数のＬＥＤストリップ（たとえば様々な「サブパネル」）を備えてもよい。すなわち、第１のサブパネル２４００２を画定する第１のケーブルセット（第１のケーブル１０２０および第２のケーブル１０３０）間で維持される第１の複数のストリップ１３００と、第１および第２のケーブル１０２０および１０３０に平行な第３のケーブル１０４０および第４のケーブル１０５０を備える、第２のサブパネル２４００４を画定する第２のケーブルセット間で維持される第２の複数のストリップ１３５０．１・・・ｎ（集合的に１３５０）とが存在する。図示された例において、第１のサブパネル２４００２の長手方向分布は、第２のサブパネル２４００４の長手方向分布と一致する。第３および第４のケーブル１０４０および１０５０は、少なくとも第２の基準電圧線、第２の正電圧線、および第２のデータ線を備える互いに絶縁された少なくとも３本の追加の導電線を提供する。第２の複数のストリップ１３５０は、第２の基準電圧線からの基準電圧、第２の正電圧線からの正電圧、および第２のデータ線からのデータを受け取る。第２の複数のストリップ１３５０．ｎの各々は、それらに沿って規定の横方向分布と一致する第２の規定の横方向分布に配置された個々に制御可能なＬＥＤモジュールの追加のサブセットを備える。当然、当業者は、任意の数のサブパネルが、間隙を有してまたは有さずに横方向および／または長手方向に、および／または平行に、またはカスタマイズされた表示領域に関して様々に画定して並置され得ることを容易に認知する。代替または追加として、様々なサブパネルは、（たとえばピッチを増やすために）部分的または完全に重ね合わせられてもよい。多面表示領域を提供するいくつかの表示システムにおいて、ＬＥＤストリップは、２つの対向表面にＬＥＤモジュールを提供してよく、あるいは異なるＬＥＤストリップが（たとえば図４および図５から適合された位置合わせ機構（複数も可）を用いて）背中合わせに位置合わせされ得る。また、カスタマイズされた表示システムにおいて２より多い数の表示面（たとえば、角度付きケーブルで維持される、三角形、正方形ＬＥＤストリップ、またはＬＥＤプリズム）を提供することも可能である。本発明の教示は任意の数の複数のストリップに適用可能であり得ることが当業者には理解される。
【００４４】
第１の複数のストリップ１３００および第２の複数のストリップ１３５０は、隣接するストリップを位置合わせするために複数のストリップの各先端において接触または近接（たとえば接続）してよい。位置合わせは、たとえば図２６に示され図４および図５を参照して本明細書で更に説明される端子整列磁石、機械的結合、またはそれらの組み合わせを用いて実現され得る。
【００４５】
表示システム１０００は更に、図２６に示す複数の第１のコネクタ１６００および第２のコネクタ１７００を備えてよい。コネクタ１６００および１７００は、図６〜１３を参照して本明細書で更に説明されるように、ＬＥＤストリップ１３００の規定の長手方向分布に従って第１のケーブル１０２０および第２のケーブル１０３０それぞれにおいて永久的に維持される。コネクタは、第１のケーブル１０２０との接続を提供するために第１のコネクタ１６００にＬＥＤストリップ１３００．ｎの一端を着脱可能に取り付け、それによって、たとえばＬＥＤストリップ１３００の第１の端部において第１のケーブル１０２０からの（図２６においてワイヤ１４００２ａおよび１４００２ｂと示される）正電圧および基準電圧を受け取ることを可能にする。ＬＥＤストリップ１３００．ｎの他方の端部は、第２のケーブル１０３０との接続を提供するために第２のコネクタ１７００に着脱可能に取り付けられ、それによって、たとえばＬＥＤストリップ１３００．ｎの第２の端部において（図２６においてワイヤ１４００２ｃおよび１４００２ｄと示される）データ線および第２の基準電圧線を受け取ってよい。追加の選択肢として、（たとえばＰＣＢであってよい）ＬＥＤストリップとケーブルセットとの間の期待される接続性を確実にするために、第１のコネクタのそれぞれは、ＬＥＤストリップ１３００．ｎの対応する第１の構造のための特定の形状（たとえば協働部品を考慮する鍵型）であってよく、第２のコネクタのそれぞれは、第１の構造とは異なるＬＥＤストリップ１３００．ｎの対応する第２の構造のための特定の形状（たとえば協働部品を考慮する鍵型）であってよい。
【００４６】
図３をより具体的に参照すると、図３Ａにおいて、第１および第２のコネクタアセンブリが取り付けられ得るＬＥＤストリップ１３００．ｎに沿った位置に対応する２つの細部３Ａ’および３Ａ’’が示される。上述したように、第１および第２のコネクタは、ＬＥＤストリップが適切な構成で設置されることを確実にするために、ＬＥＤストリップ１３００．ｎの対応する第１および第２の端部に特化した形状または鍵型であってよい。第１および第２のコネクタがそれぞれ取り付けられるＬＥＤストリップ１３００．ｎの第１および第２の端部は、細部３Ａ’および３Ａ’’に示される。たとえば、ＬＥＤストリップ１３００のそれぞれの端部において異なる配置または構成である、ＬＥＤストリップ１３００．ｎの構造における凹部１３０８がある。したがって、第１の端部において（たとえば細部３Ａ’に示す位置において）第２のコネクタのみがＬＥＤストリップ１３００．ｎに取り付けられ、第２の端部において（たとえば細部３Ａ’’に示す位置において）第２のコネクタのみがＬＥＤストリップ１３００．ｎに取り付けられ得ることが可能であり得る。
【００４７】
これらの位置におけるＬＥＤストリップ１３００．ｎの裏側には接点１３１０ａ、１３１０ｂがあり、これらは、ＬＥＤストリップ１３００．ｎと第１および第２のケーブル１０２０、１０３０に含まれるワイヤとの間の接続を可能にしてよく、接続は、第１および第２のコネクタを介して生じる。図に示すように、接点１３１０ａおよび１３１０ｂは、ＬＥＤストリップ１３００．ｎの第１の端部に第１のコネクタのみが取り付けられ、ＬＥＤストリップ１３００．ｎの第２の端部に第２のコネクタのみが取り付けられ得ることを確実にするために用いられ得る様々な構成を有してもよい（示された典型的な接点において、これらは様々な数の接点を有する）。
【００４８】
また、ＬＥＤストリップ１３００．ｎの先端に対応する第３の細部３Ａ’’’も示される。上述したように、第１の複数のＬＥＤストリップ１３００の先端は隣接する第２の複数のＬＥＤストリップ１３５０と位置合わせされることが望ましい。位置合わせは、たとえば隣接するＬＥＤストリップ１３００．ｎおよび１３５０．ｎ間の機械的および／または磁気結合によって実現され得る。図４および図５において更に説明されるように、ＬＥＤストリップ１３００．ｎおよび１３５０．ｎの先端は、そのような機能性を提供するように構成され得る。図３Ａには明確に示されないが、ＬＥＤストリップ１３００．ｎのそれぞれの先端（すなわち細部３Ａ’’’を有する先端および対向先端）は、たとえばＬＥＤストリップ１３００における凹部１３１２および／または貫通穴１３１４の位置、サイズ、および／または形状に基づいて、様々な構造を有してよい。いくつかの実施形態において、ＬＥＤストリップ１３００．ｎは、様々な使用条件（たとえば耐湿性、耐水性、防水性、および／または耐塵性など）のために適合される。たとえばＬＥＤストリップ１３００．ｎは、耐候性および／または防風雨性であってよく、接点１３１０ａおよび１３１０ｂを除いて密封部品を提供してよい。以下でより容易に明らかになるように、接点１３１０ａおよび１３１０ｂは、その後、適切に構成されたコネクタおよびシールを用いて密封され得る。ＬＥＤストリップ１３００．ｎは、アセンブリの耐候および／または防風雨特性を高め、または維持するために特化した形状または構成された（たとえばストリップ内に凹設された、および／またはストリップにおける高さを取り巻く）接点１３１０ａおよび１３１０ｂを提供してよい。
【００４９】
本明細書において図４として同時に参照される図４Ａ、図４Ｂ、図４Ｃ、および図４Ｄは、本発明の教示に係る第１の典型的な端子整列磁石筐体１４００の図である。具体的には、図４Ａは、典型的な端子整列磁石の斜視図を示し、図４Ｂおよび図４Ｃは、典型的な端子整列磁石の正面図および側面図であり、図４Ｄは、典型的な端子整列磁石の上面図を示す。
【００５０】
端子整列磁石筐体１４００は、筐体内に収容された有極磁石を含み、第１および第２の複数のＬＥＤストリップ１３００および１３５０の先端を位置合わせする１つの可能性を提供してよい。たとえば、第１の複数のＬＥＤストリップ１３００に属する第１のＬＥＤストリップ１３００．ｎの１つの先端は、第１の極性（たとえばＮ極）に対応する端子整列磁石筐体を受け入れてよく、第１のＬＥＤストリップ１３００．ｎに隣接する、第２の複数のＬＥＤストリップ１３５０に属する第２のＬＥＤストリップ１３５０．ｎの先端は、第２の極性（たとえばＳ極）に対応する端子整列磁石筐体を受け入れてよい。したがって、互いに隣接した第１および第２のＬＥＤストリップ１３００．ｎおよび１３５０．ｎの先端は磁気的に引き寄せられてよく、その結果、異なるサブパネルからの異なるＬＥＤストリップの位置合わせが向上する。各ＬＥＤストリップ１３００．ｎおよび１３５０．ｎは、ストリップの１つの先端に第１の極性に対応する端子整列磁石を有し、ストリップの対向先端に第２の極性に対応する端子整列磁石を有してよい。複数のＬＥＤストリップ１３００における各ＬＥＤストリップ１３００．ｎは、同じ先端に同じ極性を有するように構成され得る。隣接するＬＥＤストリップを位置合わせするために磁石を用いることの追加または代替として、たとえば（たとえば、一方のストリップに雌部品を有し、他方に雄部品を有する）機械的結合などの他の手段が実装され得る。
【００５１】
端子整列磁石筐体１４００は、ＬＥＤストリップ１３００．ｎの先端に挿入または取付けされ得る。図３を参照して説明したように、ＬＥＤストリップ１３００．ｎは、様々な構造の先端を有してよく、その結果、端子整列磁石のどの極性がそこに取り付けられ得るかを制限する。図４Ａに示すように、押し潰し可能なタブ１４０２が、ＬＥＤストリップ１３００．ｎの対応する貫通穴１３１４に押し込まれ得る。同様に、タブ１４０４は、ＬＥＤストリップ１３００．ｎの凹部１３１２と摺動可能に係合してよい。ＬＥＤストリップ１３００．ｎの先端における凹部１３１２および貫通穴１３１４の位置、サイズ、および／または形状は、どの種類の取付け（たとえば、端子整列磁石筐体のどちらの極性）がそれぞれの先端に挿入され得るかを制限してよく、それによって、誤った極性の端子整列磁石筐体がＬＥＤストリップ１３００．ｎの先端に挿入されることを防ぐ。
【００５２】
本明細書において図５として同時に参照される図５Ａ、図５Ｂ、図５Ｃ、および図５Ｄは、本発明の教示に係る第２の典型的な端子整列磁石筐体１４００’の図である。具体的には、図５Ａは、典型的な端子整列磁石の斜視図を示し、図５Ｂおよび図５Ｃは、典型的な端子整列磁石の正面図および側面図であり、図５Ｄは、典型的な端子整列磁石の上面図を示す。
【００５３】
端子整列磁石筐体１４００’は、図４を参照して説明された端子磁石筐体１４００と同様であってよいが、筐体内に収容された逆極性（たとえばＳ極）の有極磁石を含んでよい。また、押し潰し可能なタブ１４０２’および／またはタブ１４０４’は、端子整列磁石筐体１４００の対応する押し潰し可能なタブ１４０２および１４０４とは異なる位置、サイズ、または形状であってよく、その結果、各端子整列磁石筐体１４００および１４００’は、ＬＥＤストリップ１３００．ｎのそれぞれの先端にのみ挿入され得る。
【００５４】
図６は、本発明の教示に係る典型的な第１のコネクタアセンブリ１６００の分解斜視図である。第１のコネクタアセンブリ１６００は、第１の受信器ストリップ１６０２、ケーブル側ホルダ１６０４、ストリップ側ホルダ１６０６、およびＰＣＢ側シール１６０８を備えてよい。要素１６０２、１６０４、１６０６、および１６０８は、以下で更に説明される。第１のコネクタアセンブリ１６００は更に、バックフレーム、壁などに取り付けるためのブラケットマウント１６１０を任意選択的に含んでよい。
【００５５】
上述したように、第１のコネクタアセンブリ１６００は、ＬＥＤストリップ１３００．ｎを第１のケーブル１０２０に着脱可能に取り付けるために用いられ得る。第１のコネクタアセンブリ１６００は、第１のケーブル１０２０上で永久的に維持され得る。第１のコネクタアセンブリ１６００は更に、本明細書で更に説明されるように、ＬＥＤストリップ１３００．ｎの第１の端部または第１の構造にのみ取付け可能であるように設計され得る。また、図６に示すＬＥＤストリップ１３００．ｎは、前もって図３に示されたものと凹部１３０８の位置において異なる構造を有することも留意され得る。ここでもまた、ＬＥＤストリップ１３００．ｎの構造に関するいくつかの変化例が存在してよく、コネクタアセンブリはそれに応じて設計され得る。
【００５６】
図７は、本発明の教示に係る典型的な第２のコネクタアセンブリ１７００の分解斜視図である。第２のコネクタアセンブリ１７００は、第２の受信器ストリップ１７０２、ケーブル側ホルダ１７０４、ストリップ側ホルダ１７０６、およびＰＣＢ側シール１７０８を備えてよい。要素１７０２、１７０４、１７０６、および１７０８は以下で更に説明され、第１のコネクタアセンブリの第１の受信器ストリップ１６０２、ケーブル側ホルダ１６０４、ストリップ側ホルダ１６０６、およびＰＣＢ側シール１６０８と同じ、または異なってよい。第２のコネクタアセンブリ１７００は更に、バックフレーム、壁などに取り付けるためのブラケットマウント１７１０を任意選択的に含んでよい。当業者は、所与のＬＥＤストリップを固定するために、ブラケットマウント１６１０および１７１０の一方のみまたは両方が提供され得ることを認識する。いくつかの実施形態において、シール１６０８、１７０８は、アセンブリの所望の耐候性および／または耐候特性を維持するために、ＬＥＤストリップ上の接点１３１０ａおよび１３１０ｂおよびコネクタ１６０２、１７０２の上側表面の形状と一致する形状または鍵型である。
【００５７】
上述したように、第２のコネクタアセンブリ１７００は、ＬＥＤストリップ１３００．ｎを第２のケーブル１０３０に着脱可能に取り付けるために用いられ得る。第２のコネクタアセンブリ１７００は、第２のケーブル１０３０において永久的に維持され得る。第２のコネクタアセンブリ１７００は更に、本明細書で更に説明されるように、ＬＥＤストリップ１３００の第２の端部または第２の構造にのみ取付け可能であるように設計され得る。
【００５８】
本明細書において図８として同時に参照される図８Ａ、図８Ｂ、図８Ｃ、図８Ｄ、および図８Ｅは、本発明の教示に係る典型的な第２のストリップ受容体１７０２の図である。具体的には、図８Ａは斜視図を示し、図８Ｂは側面図を示し、図８Ｃは上面図を示し、図８Ｄは、図８Ｃに示す直線に沿った断面図を示し、図８Ｅは底面図を示す。
【００５９】
図８Ｂに示されるように、第２のストリップ受容体１７０２は更に、その底面から伸長する突刺接点１８０２を備えてよい。図１４を参照して上述したように、第１のケーブル１０２０および第２のケーブル１０３０は、正電圧線、基準電圧線、および／またはデータ線を互いにかつそれらの周囲から絶縁状態に保つ絶縁ケーブルである。したがって、第１または第２のケーブルそれぞれの内部のワイヤと接触するために、突刺接点１８０２は、絶縁体を突刺または穿刺するために用いられ得る。図８の第２のストリップ受容体１７０２には２つの突刺接点１８０２しか示されないが、第２のストリップ受容体１７０２が受け入れる第２のケーブル１０３０内のワイヤの数に依存して、より多いまたは少ない数の突刺接点が用いられ得る。
【００６０】
第２のストリップ受容体１７０２の他の特徴は、図８Ｃに示され得るような上面である。上述したように、第２のコネクタアセンブリ１７００は、ＬＥＤストリップ１３００．ｎの第２の端部のみに取付け可能であるように構成されてよく、これは、ＬＥＤストリップ１３００．ｎの第２の端部のみに対応するように第２のストリップ受容体１７０２の境界面を設計することによって実現され得る。たとえば、第２のストリップ受容体１７０２の上面は、ＬＥＤストリップ１３００．ｎの第２の端部における凹部１３１０の構造と一致する突起部１８０４を備える。突起部１８０４は、図６におけるＬＥＤストリップ１３００．ｎの遠位端に示される凹部に対応することが示され得る。また第２のストリップ受容体１７０２は、ＬＥＤストリップ１３００．ｎにおける対応する接点に対応し得る接点１８０６も備え、これは、ＬＥＤストリップ１３００．ｎがＰＣＢである場合、ＰＣＢ接点とも称され得る。たとえば、図８Ｃに示される２つの接点１８０６が存在する。これらは、図３Ｂに示すような２つの接点１３１０ａに対応してよい。接点１８０６の数および位置は、１９０６からより容易に明らかになるように、データケーブルによって提供されたデータフィードが（たとえば直列またはデイジーチェーンの）ＬＥＤストリップの各々を通過することを考慮して設計され得るが、正電圧線からの正電圧はＬＥＤストリップを並列に接続する。代替または追加として、接点１８０６の数および位置もまた、第２のストリップ受容体１７０２およびそれに伴い第２のコネクタアセンブリ１７００がＬＥＤストリップ１３００の第２の端部のみに対応し得るように設計され得る。
【００６１】
また、示され得るように、たとえば図８Ｅにおける第２のストリップ受容体１７０２の底面において、ケーブル側ホルダ１７０４からの対応するピンまたはスパイクを受け入れるための穴またはスロット１８０８が存在してよい。第２のストリップ受容体１７０２およびケーブル側ホルダ１７０４はともに、第２のケーブル１０３０の対応する部分を収容してよい。また示され得るように、たとえば第２のストリップ受容体１７０２の上面および底面において、第２のストリップ側ホルダ１７０６からの対応するねじを受け入れるための穴１８１０が存在してよく、それによって第２のケーブルアセンブリ１７００はＬＥＤストリップ１３００．ｎに着脱可能に取り付けられることができる。
【００６２】
本明細書において図９として同時に参照される図９Ａ、図９Ｂ、図９Ｃ、図９Ｄ、および図９Ｅは、本発明の教示に係る典型的な第１のストリップ受容体１６０２の図である。具体的には、図９Ａは斜視図を示し、図９Ｂは側面図を示し、図９Ｃは上面図を示し、図９Ｄは、図９Ｃに示す直線に沿った断面図を示し、図９Ｅは底面図を示す。
【００６３】
図８に示す第２のストリップ受容体１７０２と同様に、第１のストリップ受容体１６０２もまた、第１のケーブル１０２０の絶縁体に突刺して内部のワイヤに接触するために用いられ得る突刺接点１９０２を備えてよい。また第２のストリップ受容体１７０２と同様に、第１のストリップ受容体１６０２もまた、ＬＥＤストリップ１３００．ｎの第１の端部における凹部１３１０に対応する突起部１８０４、ならびにたとえば図３Ｂに示す接点１３１０ｂなど、ＬＥＤストリップ１３００．ｎの第１の端部における接点に対応し得るＰＣＢ接点１９０６を備える上面を有してよい。第１のストリップ受容体１６０２は、ケーブル側ホルダ１６０４からの対応するピンまたはスパイクを受け入れるための穴またはスロット１８０８も備えてよい。第１のストリップ受容体１６０２は更に、第１のストリップ側ホルダ１６０６からの対応するねじを受け入れるための穴１９１０を備えてよく、それによって第１のケーブルアセンブリ１６００はＬＥＤストリップ１３００．ｎに着脱可能に取り付けられることができる。
【００６４】
第１の受容体ストリップ１６０２の一部として典型的に示されるコネクタアセンブリの他の特徴は、底面が、そこから伸長するワイヤスペーサ１９１２を更に備え得ることである。いくつかの実施形態において、ワイヤスペーサ１９１２は、ケーブル上での組立て時、データ線を（たとえば、単純な切断またはデータ線の一部を取り除くことによって）切断し得る。ただし、試験中、データ線から一部を取り除くことによってデータ線を事前切断することがより良い結果をもたらす（たとえばケーブルにおける巻き上がり効果がない）ことが示されている。したがってワイヤスペーサ１９１２は、データ線の開口中間端部間の絶縁体として作用する。上述したように、点灯命令を含むデータ線は、ＬＥＤモジュールを個々に制御するために各ＬＥＤストリップ１３００．ｎを横断してよい。ワイヤスペーサ１９１２は、データ線からのデータフィードが各ＬＥＤストリップ１３００．ｎを通過し、データ線が一連のＬＥＤストリップを相互接続するように、データ線の中間端部を絶縁することによってデータ線の配置を実現するために用いられ得る。このように、複数のＬＥＤストリップ１３００は、論理的にデイジーチェーンとなり（たとえば直列に接続され）得る。ただし、第１のストリップ受容体１６０２がワイヤスペーサ１９１２を備えなくてはならないという要件は存在しないことに留意する。ワイヤスペーサ１９１２は、対応する第１または第２のケーブルに格納されたデータ線を切断するために、第１または第２の接点アセンブリのいずれかにおいて用いられ得る。
【００６５】
本明細書において図１０として同時に参照される図１０Ａ、図１０Ｂ、および図１０Ｃは、本発明の教示に係る典型的なケーブル側ホルダの図である。具体的には、図１０Ａは斜視図であり、図１０Ｂは上面図であり、図１０Ｃは側面図である。
【００６６】
第１のケーブル側ホルダ１６０４および第２のケーブル側ホルダ１７０４は同じまたはわずかに異なり得るが、説明のために、図１０は、第１のコネクタアセンブリ１６００または第２のコネクタアセンブリ１７００のいずれかにおいて用いられ得る単一のケーブル側ホルダを示す。図８および図９を参照して説明したように、ケーブル側ホルダ１６０４および１７０４は、第１および第２の受容体ストリップ１６０２および１７０２それぞれの対応する穴またはスロット１６０８および１７０８に挿入されるピンまたはスパイク１０００２を有してよい。ピンまたはスパイクは、たとえばスナップフィットまたは圧縮フィットであってよく、硬質または軟質であってよいが、そのように限定されない。いくつかの実施形態において、ケーブル側ホルダ１６０４、１７０４は、アセンブリの所望の耐候性および／または耐候特性を維持するためにケーブル絶縁体の特徴と一致する形状または鍵型である。同様に、コネクタ１６０２、１７０２の下面もまた、アセンブリの所望の耐候性および／または耐候特性を維持するためにケーブル絶縁体の特徴と一致する形状または鍵型であってよい。
【００６７】
本明細書において図１１として同時に参照される図１１Ａ、図１１Ｂ、図１１Ｃ、および図１１Ｄは、本発明の教示に係る典型的なストリップ側ホルダの図である。具体的には、図１１Ａは斜視図であり、図１１Ｂは上面図であり、図１１Ｃは側面図であり、図１１Ｄは正面図である。
【００６８】
ここでもまた、第１のストリップ側ホルダ１６０６および第２のストリップ側ホルダ１７０６は同じまたはわずかに異なり得るが、説明のために、図１１は、第１のコネクタアセンブリ１６００または第２のコネクタアセンブリ１７００のいずれかにおいて用いられ得る単一のストリップ側ホルダを示す。第１および第２のストリップ側ホルダ１６０６および１７０６は、たとえばねじを受け入れるねじ穴であってよい穴１１００２を有してよい。上述したように、ねじは更に、穴１８１０および１９１０において第１および第２のストリップ受容体１６０２および１７０２内へ挿入されてよく、それによって、図６および図７に示すように、第１および第２のコネクタアセンブリ１６００および１７００はＬＥＤストリップ１３００．ｎに取り付けられる。
【００６９】
本明細書において図１２として同時に参照される図１２Ａ、図１２Ｂ、および図１２Ｃは、本発明の教示に係る典型的な突刺ＰＣＢ接点の図である。具体的には、図１２Ａは斜視図を示し、図１２Ｂは側面図を示し、図１２Ｃは正面または背面図を示す。突刺接点１８０２および１９０２は、同じまたはわずかに異なり得るが、説明のために、図１２は、第１のコネクタアセンブリ１６００または第２のコネクタアセンブリ１７００のいずれかにおいて用いられ得る単一の突刺接点を示す。図８および図９において説明された第１および第２のストリップ受容体１６０２および１７０２を参照して上述したように、突刺ＰＣＢ接点１８０２および１９０２は、第１のケーブル１０２０または第２のケーブル１０３０それぞれの設置を突き抜け、本来絶縁されている内部のワイヤとの接点または接続を確立してよい。突刺接点１８０２および１９０２は更に、ＰＣＢ接点１８０６および１９０６と結合してよく、その結果、ＬＥＤストリップ１３００．ｎにおいて電力および／またはデータが受け取られる経路がもたらされる。
【００７０】
本明細書において図１３として同時に参照される図１３Ａ、図１３Ｂ、および図１３Ｃは、本発明の教示に係る典型的なＰＣＢ側シールの図である。具体的には、図１３Ａは斜視図を示し、図１３Ｂは上面図を示し、図１３Ｃは、図１３Ｂに示す直線に沿って描かれた断面図を示す。ＰＣＢ側シール１６０８および１７０８は同じまたはわずかに異なり得るが、説明のために、図１３は、第１のコネクタアセンブリ１６００または第２のコネクタアセンブリ１７００のいずれかにおいて用いられ得る単一のＰＣＢ側シールを示す。ＰＣＢ側シール１６０８および１７０８は、ゴム材料で製造されてよく、第１および第２のコネクタアセンブリ１６００および１７００の風雨密設置を可能にし得る。
【００７１】
以下で同時に参照される図１５〜２３および図２５〜２７は、典型的なケーブル緊張システムおよびフレームコネクタアセンブリを提供する。
【００７２】
図１５は、本発明の教示に係る典型的なケーブルテンショナ１５００１アセンブリの分解斜視図である。第１のケーブル１０２０および第２のケーブル１０３０に結合されたケーブルテンショナアセンブリ１５００１は、少なくとも３本の導電線を継続的に絶縁させながら、ケーブルにおける張力を調整することを提供してよい。図２６に示すように、ケーブルテンショナアセンブリ１５００１は、たとえば第１または第２のケーブル１０２０または１０３０などのケーブルを受け入れるように構成されたケーブルテンショナ本体１５０００を備える。ケーブルテンショナ本体１５０００およびケーブル１０２０または１０３０に対する張力を維持するために、一方の側面に平坦面を有し、他方の側面にたとえば六角レンチなどの工具を受け入れるための境界面を有し得る平頭ねじ１５００２のセットが用いられる。平頭ねじ１５００２の平坦面は、ケーブル絶縁体が穿刺されないことを確実にする。ケーブル１０２０または１０３０の絶縁体を突刺し、（図１５の構成における）ケーブルの右端のワイヤをケーブルテンショナ本体１５０００に接続するために、片方の側面に尖端を有し、他方の側面にたとえば六角レンチなどの工具を受け入れるための境界面を有する突刺ねじ１５００４のセットが用いられる。いくつかの実施形態において、ケーブル１０２０または１０３０の内側緊張ワイヤは単純にアース線であってよく、よって突刺ねじ１５００４が必要ではないこともあり、および／または平頭ねじ１５００２が突刺してもよい。
【００７３】
ケーブルテンショナアセンブリ１５００１は、たとえば図２０に示すフレームコネクタアセンブリ２００００など、フレームコネクタアセンブリおよび／またはアンカーアセンブリと結合する。本明細書において図２０として同時に参照される図２０Ａおよび図２０Ｂは、本発明の教示に係る典型的なフレームコネクタアセンブリの斜視図である。本明細書において図２７として同時に参照される図２７Ａおよび図２７Ｂは、本発明の教示に係る典型的なフレームコネクタアセンブリを有する典型的なケーブルテンショナアセンブリの図である。具体的には、図２７Ａは、フレームコネクタアセンブリを有するケーブルテンショナアセンブリの組立図を示し、図２７Ｂは、フレームコネクタアセンブリを有するケーブルテンショナアセンブリの分解図を示す。
【００７４】
図２０Ａを参照すると、フレームコネクタアセンブリ２００００は、フレーム絶縁体２０００２および導電性材料で作られた２つのワイヤコネクタ２０００４および２０００６を備える。図２０Ｂに示す組立て図に示すように、２つのワイヤコネクタ２０００４および２０００６は、フレーム絶縁体２０００２内に摺動し、フレーム絶縁体２０００２内の一致するくぼみと位置合わせされた（たとえば非導電性材料で作られた）スラグ２０００５を用いて内部で定位置に維持される。ワイヤコネクタ２０００４および２０００６はまた、各々が、ディスプレイコントローラおよび／または電源からの対応するワイヤ間の適切な隔離を維持しながらそれらを接続するために使用可能なジャンパねじ２０００７も提供する。ワイヤコネクタ２０００４は更にボルト２０００８を受け入れ、これは、後述するように第１および第２のケーブル内のワイヤへの隔離防止接続を提供する。フレームコネクタ２０００６も同様であるが、ボルト２０００８ではなくピン２００１０を内部に受け入れる。図２７に示すように、フレームコネクタアセンブリ２００００は、フレームコネクタアセンブリ２００００の構造を受け入れるために対応するＵ字形チャネルを有し得るフレーム１０１０内に摺動する。
【００７５】
本明細書において図２１として同時に参照される図２１Ａ、図２１Ｂ、図２１Ｃ、および図２１Ｄは、本発明の教示に係る典型的なフレーム絶縁体２０００２の図である。具体的には、図２１Ａは斜視図を示し、図２１Ｂは上面図を示し、図２１Ｃは正面図を示し、図２１Ｄは側面図を示す。
【００７６】
本明細書において図２２として同時に参照される図２２Ａ、図２２Ｂ、図２２Ｃ、図２２Ｄ、および図２２Ｅは、たとえば第１のワイヤコネクタ２０００４など、本発明の教示に係る典型的なフレームコネクタの図である。具体的には、図２２Ａは斜視図を示し、図２２Ｂは上面図を示し、図２２Ｃおよび図２２Ｅは側面図を示し、図２２Ｄは正面図を示す。
【００７７】
再び図１５を参照すると、ケーブルテンショナ本体１５０００は更に、これを長手方向に貫通する穴１５００６を備える。ケーブルテンショナアセンブリ１５００１はまた、ケーブルテンショナ本体１５０００内に挿入され、ケーブルテンショナ本体１５０００の穴１５００６と位置合わせされた中心穴を有する、回転ノブおよびベースリングを含むテンション調整器アセンブリ１５００８も備える。ケーブルテンショナ本体１５０００の穴１５００６を通り、回転調整器アセンブリ１５００８の穴と位置合わせされると、フレームコネクタアセンブリ２００００の大きい方のボルト２０００８は、図２７に示すように受け入れられる。図には示されないが、ボルト２０００８およびテンション調整器アセンブリ１５００８のベースリングはねじ止めされ得る。典型的な実施形態において、テンション調整器アセンブリ１５００８のベースリングは、回転ノブとボルト２０００８の底栓２０００９との間に挟まれる。回転ノブは、ねじ式ボルト２０００８およびベースリングによって本体１５０００内で固定される。
【００７８】
たとえば振動または運動によって生じ得る、テンション調整アセンブリ１５００８の回転ノブの不所望の回転を防ぐために、一方の側面に平坦面を有し、他方の側面にたとえば六角レンチなどの工具を受け入れるための境界面を有する係止シリンダ１５０１０が用いられる。ケーブルテンショナ本体１５０００の対向側面において２つの場所に存在し得るケーブルテンショナ本体１５０００の凹部１５０１２を通して、ユーザは、テンション調整器１５００８から回転ノブを回転させるために指または工具を到達させ、それによってボルト２０００８に沿って長手方向（たとえば上下）にケーブルテンショナ本体１５０００を動かしてよい。ケーブルテンショナ本体１５０００はケーブル１０２０または１０３０と（１５００２を通して）結束されるので、これを通して張力は制御可能に調整されうる。
【００７９】
上述したように、突刺ねじ１５００４は、たとえばアース線または基準電圧線など、ケーブル１０２０または１０３０内の右端のワイヤを、ケーブルテンショナ本体１５０００に接続する。再び図２０を参照すると、フレームコネクタアセンブリ２００００のボルト２０００８は、ケーブルテンショナ本体１５０００に結合され、第１のワイヤコネクタ２０００４にも結合される。したがって、図２７に示す外部ワイヤ２７００２ａを通して、ワイヤコネクタ２０００４は、基準電圧線またはアース線をケーブル１０２０または１０３０内の右端のワイヤと結合させ得る。次に説明するように、フレーム絶縁体２０００２を中心に備えるフレームコネクタアセンブリ２００００の構成によって、基準電圧線は、第２のワイヤコネクタ２０００６内に提供され得るワイヤから完全に絶縁される。
【００８０】
たとえば本明細書において図１８として同時に参照される図１８Ａ、図１８Ｂ、図１８Ｃ、および図１８Ｄに示すように、ケーブルテンショナ本体１５０００は更に、本体絶縁体１８０００を受け入れるように構成され、図１８は、本発明の教示に係る典型的な本体絶縁体の図である。具体的には、図１８Ａは斜視図を示し、図１８Ｂは上面図を示し、図１８Ｃは正面図を示し、図１８Ｄは、図１８Ｃに示す直線に沿った断面図を示す。
【００８１】
本体絶縁体１８０００は、本体絶縁体１８０００をケーブルテンショナ本体１５０００に維持するためのねじを受け入れるためのスロット１８００４および穴１８００６を備える突起構造を第１の端部に有する中空円筒体１８００２を備える。本体絶縁体１８０００は更に、円筒体１８００２のスロット１８００４と正反対の第１の端部に他の穴１８００８を備える。図１５を参照すると、本体絶縁体１８０００はケーブルテンショナ本体１５０００内へ摺動し、ねじを締めることによって穴１８００６内に固定され得る。たとえば図２３に示すように、本体絶縁体１８０００はスラグコネクタ２３０００も受け入れる。
【００８２】
本明細書において図２３として同時に参照される図２３Ａ、図２３Ｂ、および図２３Ｃは、本発明の教示に係る典型的なスラグコネクタの図である。具体的には、図２３Ａは斜視図を示し、図２３Ｂは上面図を示し、図２３Ｃは側面図を示す。スラグコネクタ２３０００は、本体絶縁体１８０００の円筒体１８００２の径よりも小さい径の中空円筒体２３００２を備える。スラグコネクタ２３０００の第１の端部には、ねじを受け入れるように構成された垂直リング２３００４がある。再び図１５を参照すると、スラグコネクタ２３０００は本体絶縁体１８０００内に摺動してよく、スラグコネクタ２３０００の垂直リング２３００４は、本体絶縁体１８０００のスロット１８００４に受け入れられる。スラグコネクタ２３０００および本体絶縁体１８０００は、ケーブルテンショナ本体１５０００において、ケーブル１０２０または１０３０内の左端のワイヤに隣接して配置される。一方の側面に尖端を有し、他方の側面にたとえば六角レンチなどの工具を受け入れるための境界面を有する突刺ねじ１５０１４は、スラグコネクタ２３０００の垂直リング２３００４を通って、穴１８００８を通り本体絶縁体１８０００に挿入され、左端のワイヤとの接続を確立するためにケーブル１０２０または１０３０の絶縁体を突き刺す。本体絶縁体１８０００は、ケーブル１０２０または１０３０の左端のワイヤと接続されたスラグコネクタ２３０００が、ケーブル１０２０または１０３０の右端のワイヤと接続されたケーブルテンショナ本体１５０００から隔離されることを確実にする。
【００８３】
上述したように、ケーブルテンショナ本体１５０００は、図２７に示すようにフレームコネクタアセンブリ２００００と接続される。具体的には、ケーブルテンショナ本体１５０００およびフレームコネクタアセンブリ２００００は、フレームコネクタアセンブリ２００００のピン２００１０が、本体絶縁体１８０００によってケーブルテンショナ本体１５０００内に収容されたスラグコネクタ２３０００に受け入れられるように構成される。再び図２３Ａを参照すると、スラグコネクタ２３０００の円筒体２３００２に沿ってしわの寄った部分２３００６があり、これは、フレームコネクタアセンブリ２００００のピン２００１０よりも径がわずかに小さくなるように制御可能に押し潰される。しわの寄った部分２３００６を形成するために様々な手順が用いられ得る。フレームコネクタアセンブリ２００００のピン２００１０がスラグコネクタ２３０００に接触させられると、（しわの寄った部分２３００６よりもわずかに大きい径の）ピン２００１０は、しわの寄った部分２３００６を、ピン２００１０がちょうど貫通できる程度に拡張させる。その結果、ケーブルテンショナ本体１５０００がボルト２０００８に沿って長手方向に動く時、スラグコネクタ２３０００のしわの寄った部分２３００６との摩擦によって接続が維持される。次にスラグコネクタ２３０００は、ケーブル１０２０または１０３０の左端のワイヤおよび（第２のワイヤコネクタ２０００６とも接続される）フレームコネクタアセンブリ２００００のピン２００１０と接続される。したがって、第２のワイヤコネクタ２０００６は、ケーブル１０２０または１０３０の左端のワイヤと結合されてよく、たとえばこれはデータ線または正電圧線であってよく、データまたは正電圧が外部ワイヤ２７００２ｂによって提供され得る。ここでもまた、フレーム絶縁体２０００２を中心に備えるフレームコネクタアセンブリ２００００の構成によって、データまたは正電圧は、たとえば第１のワイヤコネクタ２０００４内に提供され得る基準電圧から完全に絶縁される。
【００８４】
本明細書において図１６として同時に参照される図１６Ａ、図１６Ｂ、図１６Ｃ、図１６Ｄ、図１６Ｅ、図１６Ｆ、図１６Ｇ、図１６Ｈ、および図１６Ｉは、本発明の教示に係る典型的なケーブルテンショナ本体の図である。
【００８５】
本明細書において図１７として同時に参照される図１７Ａ、図１７Ｂ、図１７Ｃ、図１７Ｄ、および図１７Ｅは、本発明の教示に係る典型的な左右反転ケーブルテンショナ本体１５０００’の図である。具体的には、左右反転ケーブルテンショナ１５０００’は、図１５および図１６に示すケーブルテンショナ本体１５０００と同じ構成を有してよいが、図１６Ｂおよび図１７Ｂに示すそれぞれの上面図と比べて明らかであり得るように、逆の配向を有してよい。異なる左右反転部品によって、右端のまたは左端のケーブルのどちらがテンショナ本体１５０００／１５０００’から隔離されるかを選択することが可能である。たとえば、ケーブルテンショナ本体１５０００および左右反転ケーブルテンショナ本体１５０００’の使用は、フレームのどの部分にケーブルテンショナアセンブリが取り付けられているかに少なくとも部分的に基づいてよい。たとえばケーブルテンショナ本体１５０００は、フレームの底部においてケーブルの第１の端部に取り付けられ、ケーブルテンショナ本体１５０００’は、フレームの頂部においてケーブルの第２の端部に取り付けられ得る。
【００８６】
本明細書において図１９として同時に参照される図１９Ａ、図１９Ｂ、図１９Ｃ、および図１９Ｄは、本発明の教示に係る典型的な左右反転本体絶縁体１８０００’の図である。図１７を参照して説明された左右反転ケーブルテンショナ本体１５０００’と同様に、左右反転本体絶縁体１８０００’は、図１８に示す本体絶縁体１８０００と同じ構成を有してよいが、図１８Ｂおよび図１９Ｂに示すそれぞれの上面図と比較すると明らかであり得るように、ねじを受け入れるための本体絶縁体１８０００の穴１８００６が左右反転本体絶縁体１８０００の左側にあり穴１８００６’と符号付けされている点で逆の配向を有してよい。
【００８７】
図２８は、本発明の教示に係る典型的な垂直織込み設置の論理的表現である。第１の複数のストリップ１３００に取り付けられた第１のケーブル１０２９または第２のケーブル１０３０が、第２の複数のストリップ１３５０に取り付けられた第３のケーブル１０４０および第４のケーブル１０５０の間に配置されることによって、第１の複数のストリップ１３００と第２の複数のストリップ１３５０との間の長手方向の位置合わせを改善することが可能であり得る。第２の複数のストリップの少なくともいくつか（たとえば１３５０．１）は、第３のケーブル１０４０と第４のケーブル１０５０との間に横たわる１本のケーブル（たとえば第２のケーブル１０３０）に機械的に取り付けられてよく、第１の複数のストリップの少なくともいくつか（たとえば第３のケーブル１０４０）は、（たとえば織込み構成において）第１のケーブル１０２０と第２のケーブル１０３０との間に位置する第３のケーブルおよび第４のケーブルの１方（たとえば第３のケーブル１０４０）に機械的に取り付けられてよい。
【００８８】
図２８において用いられるストリップおよびケーブルの線影は、どのストリップが基礎となるどのケーブル間で維持されるかを示し、ストリップおよびケーブルの線影が互いに垂直である場合、そのストリップはケーブル間で維持される。ストリップ上の暗線は、ＬＥＤストリップが終結する場所を示す。織込み設置は、ＬＥＤモジュールの位置ずれが発生する可能性を低くし得る。たとえば、中間ケーブルが張力を失い、または過張力になった場合、そのケーブルに取り付けられたＬＥＤストリップ（複数も可）に沿った複数の機械的結合が動きに抵抗することによって、ＬＥＤモジュールの位置ずれを抑制または制限する。
【００８９】
図２９は、一時的または永久表示システムに規定のパターンを表示するための方法２９０００である。方法は、少なくとも１本の基準電圧線、正電圧線、およびデータ線を備える互いに絶縁された３本以上の導電線を提供する、第１のケーブルおよび第２のケーブルを少なくとも備えるケーブルセットを設置すること（２９００２）を備える。また方法２９０００は、規定の長手方向分布に沿って第１のケーブルと第２のケーブルとの間に複数のストリップを着脱可能に取り付けること（２９００４）も備える。基準電圧、正電圧、およびデータは、複数のストリップによって受け取られ、複数のストリップの各々は、それらに沿って規定の横方向分布に配置された個々に制御可能なＬＥＤのサブセットを備える。また方法２６０００は、データ線を介して複数の個々に制御可能なＬＥＤのための点灯命令を送信すること（２９００６）も備え、点灯命令は、規定のパターンを提供するために、複数のストリップの規定の長手方向分布および複数のストリップの各々に沿った規定の横方向分布を考慮して設定される。
【００９０】
任意選択的に、方法２９０００は更に、点灯命令を送信する前に、複数の個々に制御可能なＬＥＤの各々に固有識別子を割り当てるために、データ線を介して複数のストリップへ構成命令を送信することを備えてよい。方法２９０００は更に、代替または追加として、点灯命令を送信する前に、規定の横方向分布および規定の長手方向分布を考慮して表示システム内の規定の座標に複数の個々に制御可能なＬＥＤの各々をマッピングすることも備えてよい。そのような実施形態において、方法２９０００は更に、点灯命令を送信する前に、規定の座標を考慮してビデオストリームを点灯命令に符号化することも備えてよい。
【００９１】
図３０は、一時的または永久表示システムにおいて用いるためのケーブル（たとえば第１のケーブル１０２０または第２のケーブル１０３０）を製造するための方法３００００である。方法３００００は、組立機において、制御された緊張状態にある、互いに絶縁された２本以上の導電線を備えるケーブルを提供すること（３０００２）を備える。方法３００００は次に、組立機において、第１のストリップ受容体部品および第２のストリップ受容体部品（たとえばストリップ受容体）を提供することが続き、その各々が少なくとも２つのスルーコンタクトブラケットまたは突刺接点を備え、互いに隔離され、ストリップ受容体部品の第１の表面およびＰＣＢ対応電気接点を通り、ストリップ受容体の第１の表面と対向する第２の表面を通る突刺端を各々が備える。ケーブルが組立機において制御された緊張状態にある間、方法２７０００は、第１のコネクタの第１のストリップ受容体部品をケーブル上の第１の位置に固定的に配置すること（３０００４）によって継続し、第１のストリップ受容体部品のスルーコンタクトブラケットは、２本以上の導電線の対応する導電線に対する電気接続を提供する。また組立機において、方法３００００は、制御された緊張状態にあるケーブルを特定の距離だけ前進させ、第２のコネクタの第２のストリップ受容体部品をケーブル上の第２の位置に固定的に配置すること（３０００６）を備える。第２のストリップ受容体のスルーコンタクトブラケットは、２本以上の導電線の対応する導電線に対する電気接続を提供し、特定の距離は、表示システムに関するＬＥＤモジュールの長手方向分布を定める。また方法３００００は、第１のコネクタの第１のストリップ受容体の上に第１のストリップホルダを配置し、第２のコネクタの第２のストリップ受容体の上に第２のストリップホルダを配置すること（３０００８）も備える。第１のストリップホルダおよび第１のストリップ受容体は、第１のストリップ受容体のＰＣＢ対応電気接点と複数のストリップの第１の１つとの継続した電気接続を確実にするために協働し、第２のストリップホルダおよび第２のストリップ受容体は、第２のストリップ受容体のＰＣＢ対応電気接点と複数のストリップの第２の１つとの継続した電気接続を確実にするために協働する。
【００９２】
いくつかの実施形態において、第１のストリップ受容体部品および第２のストリップ受容体部品は、ストリップの第１の位置決め構造に対応する第１のモデルであり、方法３００００は更に、組立機において、制御された緊張状態にある、互いに絶縁された２本以上の導電線を備える第２のケーブルを提供することを備える。方法３００００はその後、組立機において、各々がストリップの第２の位置決め構造に対応する第２のモデルである、第３のストリップ受容体部品および第４のストリップ受容体部品を提供することを備える。また組立機において、第２のケーブルが制御された緊張状態にある間、方法３００００は、第３のコネクタの第３のストリップ受容体部品を第２のケーブル上の第１の位置に固定可能に配置することによって継続する。第３のストリップ受容体のスルーコンタクトブラケットは、２本以上の導電線の対応する導電線に対する電気接続を提供する。組立機において、制御された緊張状態にある第２のケーブルを特定の距離だけ前進させた後、方法３００００は、第３のコネクタの第３のストリップ受容体の上に第３のストリップホルダを配置し第４のコネクタの第４のストリップ受容体の上に第４のストリップホルダを配置する前に、第４のコネクタの第４のストリップ受容体部品を第２のケーブル上の第２の位置に固定可能に配置することを備える。第３のストリップホルダおよび第３のストリップ受容体は、第３のストリップ受容体のＰＣＢ対応電気接点と複数のストリップの第１の１つとの継続した電気接続を確実にするために協働し、第４のストリップホルダおよび第４のストリップ受容体は、第４のストリップ受容体のＰＣＢ対応電気接点と複数のストリップの第２の１つとの継続した電気接続を確実にするために協働する。ケーブルの２本以上の導電線および第２のケーブルの２本以上の導電線は、表示システムにおいて、基準電圧、正電圧、およびデータフィードを提供する。
【００９３】
本発明の説明は、説明を目的として提示されたが、網羅的であること、または開示された実施形態に限定されることは意図されない。多数の修正例および変形例が当業者には明らかである。実施形態は、本発明の原理およびその実用的応用を説明するために、かつ考えられる他の使用に適し得るように様々な修正を伴う様々な実施形態を実装するために当業者が本発明を理解することができるように選択された。図面において、同一の参照番号は、様々な図にわたり同一または同様の構成要素を識別するために用いられ得る。図面は必ずしも一定の縮尺で描かれたものではない。
【図１】
2020513110.tif 000003
【図２】
2020513110.tif 000004
【図３Ａ】
2020513110.tif 000005
【図３Ｂ】
2020513110.tif 000006
【図４Ａ】
2020513110.tif 000007
【図４Ｂ】
2020513110.tif 000008
【図４Ｃ】
2020513110.tif 000009
【図４Ｄ】
2020513110.tif 000010
【図５Ａ】
2020513110.tif 000011
【図５Ｂ】
2020513110.tif 000012
【図５Ｃ】
2020513110.tif 000013
【図５Ｄ】
2020513110.tif 000014
【図６】
2020513110.tif 000015
【図７】
2020513110.tif 000016
【図８Ａ】
2020513110.tif 000017
【図８Ｂ】
2020513110.tif 000018
【図８Ｃ】
2020513110.tif 000019
【図８Ｄ】
2020513110.tif 000020
【図８Ｅ】
2020513110.tif 000021
【図９Ａ】
2020513110.tif 000022
【図９Ｂ】
2020513110.tif 000023
【図９Ｃ】
2020513110.tif 000024
【図９Ｄ】
2020513110.tif 000025
【図９Ｅ】
2020513110.tif 000026
【図１０Ａ】
2020513110.tif 000027
【図１０Ｂ】
2020513110.tif 000028
【図１０Ｃ】
2020513110.tif 000029
【図１１Ａ】
2020513110.tif 000030
【図１１Ｂ】
2020513110.tif 000031
【図１１Ｃ】
2020513110.tif 000032
【図１１Ｄ】
2020513110.tif 000033
【図１２Ａ】
2020513110.tif 000034
【図１２Ｂ】
2020513110.tif 000035
【図１２Ｃ】
2020513110.tif 000036
【図１３Ａ】
2020513110.tif 000037
【図１３Ｂ】
2020513110.tif 000038
【図１３Ｃ】
2020513110.tif 000039
【図１４】
2020513110.tif 000040
【図１５】
2020513110.tif 000041
【図１６Ａ】
2020513110.tif 000042
【図１６Ｂ】
2020513110.tif 000043
【図１６Ｃ】
2020513110.tif 000044
【図１６Ｄ】
2020513110.tif 000045
【図１６Ｅ】
2020513110.tif 000046
【図１６Ｆ】
2020513110.tif 000047
【図１６Ｇ】
2020513110.tif 000048
【図１６Ｈ】
2020513110.tif 000049
【図１６Ｉ】
2020513110.tif 000050
【図１７Ａ】
2020513110.tif 000051
【図１７Ｂ】
2020513110.tif 000052
【図１７Ｃ】
2020513110.tif 000053
【図１７Ｄ】
2020513110.tif 000054
【図１７Ｅ】
2020513110.tif 000055
【図１８Ａ】
2020513110.tif 000056
【図１８Ｂ】
2020513110.tif 000057
【図１８Ｃ】
2020513110.tif 000058
【図１８Ｄ】
2020513110.tif 000059
【図１９Ａ】
2020513110.tif 000060
【図１９Ｂ】
2020513110.tif 000061
【図１９Ｃ】
2020513110.tif 000062
【図１９Ｄ】
2020513110.tif 000063
【図２０Ａ】
2020513110.tif 000064
【図２０Ｂ】
2020513110.tif 000065
【図２１Ａ】
2020513110.tif 000066
【図２１Ｂ】
2020513110.tif 000067
【図２１Ｃ】
2020513110.tif 000068
【図２１Ｄ】
2020513110.tif 000069
【図２２Ａ】
2020513110.tif 000070
【図２２Ｂ】
2020513110.tif 000071
【図２２Ｃ】
2020513110.tif 000072
【図２２Ｄ】
2020513110.tif 000073
【図２２Ｅ】
2020513110.tif 000074
【図２３Ａ】
2020513110.tif 000075
【図２３Ｂ】
2020513110.tif 000076
【図２３Ｃ】
2020513110.tif 000077
【図２４】
2020513110.tif 000078
【図２５】
2020513110.tif 000079
【図２６】
2020513110.tif 000080
【図２７Ａ】
2020513110.tif 000081
【図２７Ｂ】
2020513110.tif 000082
【図２８】
2020513110.tif 000083
【図２９】
2020513110.tif 000084
【図３０】
2020513110.tif 000085
【国際調査報告】
2020513110.tif 000086
2020513110.tif 000087
2020513110.tif 000088
2020513110.tif 000089